(57)【要約】  チャネル状態情報（ＣＳＩ）動作が、エレベーションビームフォーミング（ＥＢ）／全次元（ＦＤ：full dimension）多入力多出力（ＥＤ／ＦＤ−ＭＩＭＯ）動作に関して開示される。複数のＣＳＩ基準信号（ＣＳＩ−ＲＳ）リソースに関連するＣＳＩ処理の場合、ＣＳＩ報告タイプおよびランクを決定することにおいて、あいまいさが生じ得る。ＣＳＩ報告タイプは、最後の報告されたビーム選択インジケータ（ＢＩ）を使用して決定され得るか、または、ＢＩの不在下で、あらかじめ定義されたルールに従って決定され得る。ランクとＢＩとが別々に報告され、ランクが不在であったとき、ユーザ機器は、前に報告されたランクまたはＢＩのいずれかまたは両方に基づいて、ＣＳＩ報告のためのデフォルト基準ランクを決定し得る。ランクとＢＩとが合同で報告されたとき、ＣＳＩ−ＲＳプロセスまたはＣＳＩ−ＲＳリソースのいずれかに基づいて決定された固定ビット幅を用いる符号化方式が、復号を向上させるために使用され得る。ＣＳＩ−ＲＳアンテナポート、ＣＳＩ−ＲＳプロセス、またはＣＳＩ−ＲＳリソースも、ＣＳＩ処理緩和の適用を決定する際に使用され得る。
2019500824.tif 000002
【特許請求の範囲】
【請求項１】
ワイヤレス通信の方法であって、
チャネル状態情報（ＣＳＩ）プロセスに関連する複数のチャネル状態情報基準信号（ＣＳＩ−ＲＳ）リソースの識別情報を取得することと、
前のビーム選択インジケータが、最後のビーム選択インジケータ報告機会において、サービング基地局に報告されたかどうかを決定することと、
前記前のビーム選択インジケータが報告されたと決定したことに応答して、
前記前のビーム選択インジケータによって示された前記複数のＣＳＩ−ＲＳリソースのうちの１つのＣＳＩ−ＲＳリソースを決定すること、および
前記決定されたＣＳＩ−ＲＳリソースに関連するアンテナポートの数に基づいてチャネル状態情報（ＣＳＩ）報告タイプを選択することと、
前記選択されたＣＳＩ報告タイプに従って前記サービング基地局にＣＳＩを報告することと
を備える、方法。
【請求項２】
前記前のビーム選択インジケータが前記サービング基地局に報告されなかったと決定したことに応答して、
あらかじめ定義されたルールに基づいて前記複数のＣＳＩ−ＲＳリソースのうちの1つのデフォルトＣＳＩ−ＲＳリソースを選択することと、
選択されたデフォルトＣＳＩ−ＲＳリソースに従って前記ＣＳＩ報告タイプを選択することと
をさらに含む、請求項１に記載の方法。
【請求項３】
前記あらかじめ定義されたルールが、
ＣＳＩプロセス中の最低リソースインデックスを有する前記複数のＣＳＩ−ＲＳリソースのうちの１つを決定すること、または
最大アンテナポートを有する前記複数のＣＳＩ−ＲＳリソースのうちの１つを決定すること
のうちの１つを含む、請求項２に記載の方法。
【請求項４】
ランクインジケータが前記前のビーム選択インジケータの報告の後に報告されたかどうかを決定すること、
ランクインジケータの不在を決定したことに応答して、
デフォルト基準ランクを識別すること、および
前記識別されたデフォルト基準ランクを条件として前記ＣＳＩ−ＲＳリソースの前記ＣＳＩを測定すること
をさらに含む、請求項１に記載の方法。
【請求項５】
前記デフォルト基準ランクを前記識別することは、
最後の報告されたビーム選択インジケータによって識別された前記ＣＳＩ−ＲＳリソースに関連するアンテナポートの数を決定すること、
アンテナポートの前記数に関連する可能な最低ランクインジケータを識別すること、ここにおいて、前記デフォルト基準ランクが前記可能な最低ランクインジケータである、
を含む、請求項４に記載の方法。
【請求項６】
請求項１から５の任意の組合せの方法。
【請求項７】
ワイヤレス通信の方法であって、
チャネル状態情報（ＣＳＩ）プロセスに関連する複数のチャネル状態情報基準信号（ＣＳＩ−ＲＳ）リソースの識別情報を取得することと、
サービング基地局に報告するための合同報告になるようにビーム選択インジケータとランクインジケータとを結合すべきかどうかを決定することと、ここにおいて、前記ビーム選択インジケータが前記複数のＣＳＩ−ＲＳリソースのうちの１つのＣＳＩ−ＲＳリソースを識別する、
前記合同報告のためのビット幅を設定することと、ここにおいて、前記ビット幅が固定される、
前記合同報告を符号化することと、
前記サービング基地局に前記符号化された合同報告を送信することと
を備える、方法。
【請求項８】
前記ビット幅を前記設定することは、
ランクインジケータビット幅＝ｌｏｇ2（ｍｉｎ（ｍａｘ（Ｎk），Ｎlayer））、
ここで、Ｎlayerが、前記サービング基地局によってサービスされるユーザ機器（ＵＥ）によってサポートされるレイヤの最大数であり、Ｎkが、前記複数のＣＳＩ−ＲＳリソースのうちのｋ番目のＣＳＩ−ＲＳリソースに関連するアンテナポートの数である、
に従ってランクインジケータビット幅を決定することと、
ビーム選択インジケータビット幅＝ｃｅｉｌ（ｌｏｇ2（Ｋ））、
ここで、Ｋが前記複数のＣＳＩ−ＲＳリソースの数である、
に従ってビーム選択インジケータビット幅を決定することと、
前記合同報告になるように前記ビーム選択インジケータビット幅の前記ビーム選択インジケータを前記ランクビット幅の前記ランクインジケータと連結することと
を含む、請求項７に記載の方法。
【請求項９】
前記符号化された合同報告を前記送信することが、アップリンク共有データチャネル上で、前記符号化された合同報告を送信することを含み、前記方法は、
複数のＣＳＩプロセスおよび複数のダウンリンクセルのためのＣＳＩ報告のための非周期ＣＳＩトリガリングを受信すること、
前記複数のＣＳＩプロセスおよび前記複数のダウンリンクセルにわたって前記ランクインジケータの前記符号化された合同報告を連結すること、
前記アグリゲートされた符号化された合同報告の前記ランクインジケータのための総ペイロードサイズを決定すること、
前記総ペイロードサイズがしきい値よりも小さいかまたはそれに等しいときにブロックコード、あるいは
前記総ペイロードサイズが前記しきい値を超えるときに畳み込みコード
のうちの１つを使用して前記ランクインジケータのためにチャネルコーディングすること
をさらに含む、請求項７に記載の方法。
【請求項１０】
前記チャネルコーディングすることは、
前記総ペイロードサイズが前記しきい値よりも小さいかまたはそれに等しいときに第１のコーディングオフセットパラメータ、あるいは
前記総ペイロードサイズが前記しきい値を超えるときに第２のコーディングオフセットパラメータ
のうちの１つを使用して、前記アグリゲートされた符号化された合同報告の前記ランクインジケータをチャネルコーディングすること
をさらに含む、請求項９に記載の方法。
【請求項１１】
請求項７から１０の任意の組合せの方法。
【請求項１２】
ワイヤレス通信の方法であって、
１つまたは複数のコンポーネントキャリア（ＣＣ）のためのチャネル状態情報（ＣＳＩ）報告のための複数のＣＳＩ要求を受信することと、
前記複数のＣＳＩ要求のうちの１つまたは複数の無報告ＣＳＩ要求を識別することと、ここにおいて、前記１つまたは複数の無報告ＣＳＩ要求が現在ＣＳＩトリガリングサブフレームの前に決定される、
すべての前記１つまたは複数の無報告ＣＳＩ要求にわたって結合されたチャネル状態情報基準信号（ＣＳＩ−ＲＳ）ポートの総数を決定することと、ここにおいて、ＣＳＩ−ＲＳポートの前記総数が、前記１つまたは複数のＣＣのうちのＣＣごとに、または前記１つまたは複数のＣＣのすべてにわたって、のうちの１つに対して決定される、
ＣＳＩ−ＲＳポートの前記総数がトリガリングしきい値を超えることに応答して、前記複数のＣＳＩ要求のうちの１つまたは複数のＣＳＩ要求のためのＣＳＩフィードバック緩和を実行することと
を備える、方法。
【請求項１３】
前記ＣＳＩフィードバック緩和を前記実行することが、
前記１つまたは複数のＣＳＩ要求のための古いＣＳＩ測定値に基づいてＣＳＩを報告すること
を含む、請求項１２に記載の方法。
【請求項１４】
前記トリガリングしきい値が、ＵＥ能力によってサポートされるＣＳＩ−ＲＳポートの総数によって決定される、請求項１２に記載の方法。
【請求項１５】
コンポーネントキャリアインデックスに従って前記複数のＣＳＩ要求を順序付けること、
同じコンポーネントキャリアのためのＣＳＩプロセスのインデックスに従って前記複数のＣＳＩ要求をさらに順序付けること、ここにおいて、ＣＳＩフィードバック緩和のための前記識別された１つまたは複数のＣＳＩ要求が、前記順序付けられた複数のＣＳＩ要求にわたって識別される、
をさらに含む請求項１３に記載の方法。
【請求項１６】
請求項１２から１５の任意の組合せの方法。
【請求項１７】
ワイヤレス通信のために構成された装置であって、
チャネル状態情報（ＣＳＩ）プロセスに関連する複数のチャネル状態情報基準信号（ＣＳＩ−ＲＳ）リソースの識別情報を取得するための手段と、
最後のビーム選択インジケータ報告機会において、前のビーム選択インジケータがサービング基地局に報告されたかどうかを決定するための手段と、
前記前のビーム選択インジケータが報告されたと決定したことに応答して実行可能な、
前記前のビーム選択インジケータによって示された前記複数のＣＳＩ−ＲＳリソースのうちのＣＳＩ−ＲＳリソースを決定すること、および
前記決定されたＣＳＩ−ＲＳリソースに関連するアンテナポートの数に基づいてチャネル状態情報（ＣＳＩ）報告タイプを選択すること
を行うための手段と、
前記選択されたＣＳＩ報告タイプに従って前記サービング基地局にＣＳＩを報告するための手段と
を備える、装置。
【請求項１８】
前記前のビーム選択インジケータが前記サービング基地局に報告されなかったと決定したことに応答して実行可能な、
あらかじめ定義されたルールに基づいて前記複数のＣＳＩ−ＲＳリソースのうちのデフォルトＣＳＩ−ＲＳリソースを選択することと、
選択されたデフォルトＣＳＩ−ＲＳリソースに従って前記ＣＳＩ報告タイプを選択することと
を行うための手段をさらに含む、請求項１７に記載の装置。
【請求項１９】
前記あらかじめ定義されたルールが、
ＣＳＩプロセス中の最低リソースインデックスを有する前記複数のＣＳＩ−ＲＳリソースのうちの１つを決定するための手段、または
最大アンテナポートを有する前記複数のＣＳＩ−ＲＳリソースのうちの１つを決定するための手段
のうちの１つを含む、請求項１８に記載の装置。
【請求項２０】
ランクインジケータが前記前のビーム選択インジケータの報告の後に報告されたかどうかを決定するための手段、
ランクインジケータの不在を決定したことに応答して実行可能な、
デフォルト基準ランクを識別すること、および
前記識別されたデフォルト基準ランクを条件として前記ＣＳＩ−ＲＳリソースの前記ＣＳＩを測定すること
を行うための手段
をさらに含む、請求項１７に記載の装置。
【請求項２１】
前記デフォルト基準ランクを識別するための前記手段は、
最後の報告されたビーム選択インジケータによって識別された前記ＣＳＩ−ＲＳリソースに関連するアンテナポートの数を決定するための手段、
アンテナポートの前記数に関連する可能な最低ランクインジケータを識別するための手段、ここにおいて、前記デフォルト基準ランクが前記可能な最低ランクインジケータである、
を含む、請求項２０に記載の装置。
【請求項２２】
請求項１７から２１の任意の組合せの装置。
【請求項２３】
ワイヤレス通信のために構成された装置であって、
チャネル状態情報（ＣＳＩ）プロセスに関連する複数のチャネル状態情報基準信号（ＣＳＩ−ＲＳ）リソースの識別情報を取得するための手段と、
サービング基地局に報告するための合同報告になるようにビーム選択インジケータとランクインジケータとを結合すべきかどうかを決定するための手段と、ここにおいて、前記ビーム選択インジケータが前記複数のＣＳＩ−ＲＳリソースのうちの１つのＣＳＩ−ＲＳリソースを識別する、
前記合同報告のためのビット幅を設定するための手段と、ここにおいて、前記ビット幅が固定される、
前記合同報告を符号化するための手段と、
前記サービング基地局に前記符号化された合同報告を送信するための手段と
を備える、装置。
【請求項２４】
前記ビット幅を設定するための前記手段は、
ランクインジケータビット幅＝ｌｏｇ2（ｍｉｎ（ｍａｘ（Ｎk），Ｎlayer））、
ここで、Ｎlayerが、前記サービング基地局によってサービスされるユーザ機器（ＵＥ）によってサポートされるレイヤの最大数であり、Ｎkが、前記複数のＣＳＩ−ＲＳリソースのうちのｋ番目のＣＳＩ−ＲＳリソースに関連するアンテナポートの数である、
に従ってランクインジケータビット幅を決定するための手段と、
ビーム選択インジケータビット幅＝ｃｅｉｌ（ｌｏｇ2（Ｋ））、
ここで、Ｋが前記複数のＣＳＩ−ＲＳリソースの数である、
に従ってビーム選択インジケータビット幅を決定するための手段と、
前記合同報告になるように前記ビーム選択インジケータビット幅の前記ビーム選択インジケータを前記ランクビット幅の前記ランクインジケータと連結するための手段と
を含む、請求項２３に記載の装置。
【請求項２５】
前記符号化された合同報告を送信するための前記手段が、アップリンク共有データチャネル上で、前記符号化された合同報告を送信するための手段を含み、前記装置は、
複数のＣＳＩプロセスおよび複数のダウンリンクセルのためのＣＳＩ報告のための非周期ＣＳＩトリガリングを受信するための手段、
前記複数のＣＳＩプロセスおよび前記複数のダウンリンクセルにわたって前記ランクインジケータの前記符号化された合同報告を連結するための手段、
前記アグリゲートされた符号化された合同報告の前記ランクインジケータのための総ペイロードサイズを決定するための手段、
前記総ペイロードサイズがしきい値よりも小さいかまたはそれに等しいときにブロックコード、あるいは
前記総ペイロードサイズが前記しきい値を超えるときに畳み込みコード
のうちの１つを使用して前記ランクインジケータのためにチャネルコーディングするための手段
をさらに含む、請求項２３に記載の装置。
【請求項２６】
チャネルコーディングするための前記手段は、
前記総ペイロードサイズが前記しきい値よりも小さいかまたはそれに等しいときに第１のコーディングオフセットパラメータ、あるいは
前記総ペイロードサイズが前記しきい値を超えるときに第２のコーディングオフセットパラメータ
のうちの１つを使用して、前記アグリゲートされた符号化された合同報告の前記ランクインジケータをチャネルコーディングするための手段
をさらに含む、請求項２５に記載の装置。
【請求項２７】
請求項２３から２６の任意の組合せの装置。
【請求項２８】
ワイヤレス通信のために構成された装置であって、
１つまたは複数のコンポーネントキャリア（ＣＣ）のためのチャネル状態情報（ＣＳＩ）報告のための複数のＣＳＩ要求を受信するための手段と、
前記複数のＣＳＩ要求のうちの１つまたは複数の無報告ＣＳＩ要求を識別するための手段と、ここにおいて、前記１つまたは複数の無報告ＣＳＩ要求が現在ＣＳＩトリガリングサブフレームの前に決定される、
すべての前記１つまたは複数の無報告ＣＳＩ要求にわたって結合されたチャネル状態情報基準信号（ＣＳＩ−ＲＳ）ポートの総数を決定するための手段と、ここにおいて、ＣＳＩ−ＲＳポートの前記総数が、前記１つまたは複数のＣＣのうちのＣＣごとに、または前記１つまたは複数のＣＣのすべてにわたって、のうちの１つに対して決定される、
ＣＳＩ−ＲＳポートの前記総数がトリガリングしきい値を超えることに応答して、前記複数のＣＳＩ要求のうちの１つまたは複数のＣＳＩ要求のためのＣＳＩフィードバック緩和を実行するための手段と
を備える、装置。
【請求項２９】
前記ＣＳＩフィードバック緩和を実行するための前記手段が、
前記１つまたは複数のＣＳＩ要求のための古いＣＳＩ測定値に基づいてＣＳＩを報告するための手段
を含む、請求項２８に記載の装置。
【請求項３０】
トリガリングしきい値のための前記手段が、ＵＥ能力によってサポートされるＣＳＩ−ＲＳポートの総数によって決定される、請求項２８に記載の装置。
【請求項３１】
コンポーネントキャリアインデックスに従って前記複数のＣＳＩ要求を順序付けるための手段、
同じコンポーネントキャリアのためのＣＳＩプロセスのインデックスに従って前記複数のＣＳＩ要求をさらに順序付けるための手段、ここにおいて、ＣＳＩフィードバック緩和のための前記識別された１つまたは複数のＣＳＩ要求が、前記順序付けられた複数のＣＳＩ要求にわたって識別される、
をさらに含む請求項３０に記載の装置。
【請求項３２】
請求項２８から３１の任意の組合せの装置。
【請求項３３】
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
チャネル状態情報（ＣＳＩ）プロセスに関連する複数のチャネル状態情報基準信号（ＣＳＩ−ＲＳ）リソースの識別情報を取得することと、
最後のビーム選択インジケータ報告機会において、前のビーム選択インジケータがサービング基地局に報告されたかどうかを決定することと、
前記前のビーム選択インジケータが報告されたと決定したことに応答して、
前記前のビーム選択インジケータによって示された前記複数のＣＳＩ−ＲＳリソースのうちのＣＳＩ−ＲＳリソースを決定すること、および
前記決定されたＣＳＩ−ＲＳリソースに関連するアンテナポートの数に基づいてチャネル状態情報（ＣＳＩ）報告タイプを選択することと、
前記選択されたＣＳＩ報告タイプに従って前記サービング基地局にＣＳＩを報告することと
を行うように構成された、装置。
【請求項３４】
前記前のビーム選択インジケータが前記サービング基地局に報告されなかったと決定したことに応答して、
あらかじめ定義されたルールに基づいて前記複数のＣＳＩ−ＲＳリソースのうちのデフォルトＣＳＩ−ＲＳリソースを選択することと、
選択されたデフォルトＣＳＩ−ＲＳリソースに従って前記ＣＳＩ報告タイプを選択することと
を行うための前記少なくとも１つのプロセッサの構成をさらに含む、請求項３３に記載の装置。
【請求項３５】
前記あらかじめ定義されたルールが、
ＣＳＩプロセス中の最低リソースインデックスを有する前記複数のＣＳＩ−ＲＳリソースのうちの１つを決定すること、または
最大アンテナポートを有する前記複数のＣＳＩ−ＲＳリソースのうちの１つを決定すること
のうちの１つを行うための前記少なくとも１つのプロセッサの構成を含む、請求項３４に記載の装置。
【請求項３６】
ランクインジケータが前記前のビーム選択インジケータの報告の後に報告されたかどうかを決定すること、
ランクインジケータの不在を決定したことに応答して、
デフォルト基準ランクを識別すること、および
前記識別されたデフォルト基準ランクを条件として前記ＣＳＩ−ＲＳリソースの前記ＣＳＩを測定すること
を行うための前記少なくとも１つのプロセッサの構成をさらに含む、請求項３３に記載の装置。
【請求項３７】
前記デフォルト基準ランクを識別するための前記少なくとも１つのプロセッサの前記構成は、
最後の報告されたビーム選択インジケータによって識別された前記ＣＳＩ−ＲＳリソースに関連するアンテナポートの数を決定すること、
アンテナポートの前記数に関連する可能な最低ランクインジケータを識別すること、ここにおいて、前記デフォルト基準ランクが前記可能な最低ランクインジケータである、
を行うための前記少なくとも１つのプロセッサの構成を含む、請求項３６に記載の装置。
【請求項３８】
請求項３３から３７の任意の組合せの装置。
【請求項３９】
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
チャネル状態情報（ＣＳＩ）プロセスに関連する複数のチャネル状態情報基準信号（ＣＳＩ−ＲＳ）リソースの識別情報を取得することと、
サービング基地局に報告するための合同報告になるようにビーム選択インジケータとランクインジケータとを結合すべきかどうかを決定することと、ここにおいて、前記ビーム選択インジケータが前記複数のＣＳＩ−ＲＳリソースのうちの１つのＣＳＩ−ＲＳリソースを識別する、
前記合同報告のためのビット幅を設定することと、ここにおいて、前記ビット幅が固定される、
前記合同報告を符号化することと、
前記サービング基地局に前記符号化された合同報告を送信することと
を行うように構成された、装置。
【請求項４０】
前記ビット幅を設定するための前記少なくとも１つのプロセッサの前記構成は、
ランクインジケータビット幅＝ｌｏｇ2（ｍｉｎ（ｍａｘ（Ｎk），Ｎlayer））、
ここで、Ｎlayerが、前記サービング基地局によってサービスされるユーザ機器（ＵＥ）によってサポートされるレイヤの最大数であり、Ｎkが、前記複数のＣＳＩ−ＲＳリソースのうちのｋ番目のＣＳＩ−ＲＳリソースに関連するアンテナポートの数である、
に従ってランクインジケータビット幅を決定することと、
ビーム選択インジケータビット幅＝ｃｅｉｌ（ｌｏｇ2（Ｋ））、
ここで、Ｋが前記複数のＣＳＩ−ＲＳリソースの数である、
に従ってビーム選択インジケータビット幅を決定することと、
前記合同報告になるように前記ビーム選択インジケータビット幅の前記ビーム選択インジケータを前記ランクビット幅の前記ランクインジケータと連結することと
を行うための前記少なくとも１つのプロセッサの構成を含む、請求項３９に記載の装置。
【請求項４１】
前記符号化された合同報告を送信するための前記少なくとも１つのプロセッサの前記構成が、アップリンク共有データチャネル上で、前記符号化された合同報告を送信するための構成を含み、前記装置は、
複数のＣＳＩプロセスおよび複数のダウンリンクセルのためのＣＳＩ報告のための非周期ＣＳＩトリガリングを受信すること、
前記複数のＣＳＩプロセスおよび前記複数のダウンリンクセルにわたって前記ランクインジケータの前記符号化された合同報告を連結すること、
前記アグリゲートされた符号化された合同報告の前記ランクインジケータのための総ペイロードサイズを決定すること、
前記総ペイロードサイズがしきい値よりも小さいかまたはそれに等しいときにブロックコード、あるいは
前記総ペイロードサイズが前記しきい値を超えるときに畳み込みコード
のうちの１つを使用して前記ランクインジケータのためにチャネルコーディングすること
を行うための前記少なくとも１つのプロセッサの構成をさらに含む、請求項３９に記載の装置。
【請求項４２】
チャネルコーディングするための前記少なくとも１つのプロセッサの前記構成は、
前記総ペイロードサイズが前記しきい値よりも小さいかまたはそれに等しいときに第１のコーディングオフセットパラメータ、あるいは
前記総ペイロードサイズが前記しきい値を超えるときに第２のコーディングオフセットパラメータ
のうちの１つを使用して、前記アグリゲートされた符号化された合同報告の前記ランクインジケータをチャネルコーディングするための構成をさらに含む、請求項４１に記載の装置。
【請求項４３】
請求項３９から４２の任意の組合せの装置。
【請求項４４】
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
１つまたは複数のコンポーネントキャリア（ＣＣ）のためのチャネル状態情報（ＣＳＩ）報告のための複数のＣＳＩ要求を受信することと、
前記複数のＣＳＩ要求のうちの１つまたは複数の無報告ＣＳＩ要求を識別することと、ここにおいて、前記１つまたは複数の無報告ＣＳＩ要求が現在ＣＳＩトリガリングサブフレームの前に決定される、
すべての前記１つまたは複数の無報告ＣＳＩ要求にわたって結合されたチャネル状態情報基準信号（ＣＳＩ−ＲＳ）ポートの総数を決定することと、ここにおいて、ＣＳＩ−ＲＳポートの前記総数が、前記１つまたは複数のＣＣのうちのＣＣごとに、または前記１つまたは複数のＣＣのすべてにわたって、のうちの１つに対して決定される、
ＣＳＩ−ＲＳポートの前記総数がトリガリングしきい値を超えることに応答して、前記複数のＣＳＩ要求のうちの１つまたは複数のＣＳＩ要求のためのＣＳＩフィードバック緩和を実行することと
を行うように構成された、装置。
【請求項４５】
前記ＣＳＩフィードバック緩和を実行するための前記少なくとも１つのプロセッサの前記構成が、前記１つまたは複数のＣＳＩ要求のための古いＣＳＩ測定値に基づいてＣＳＩを報告するための構成を含む、請求項４４に記載の装置。
【請求項４６】
前記トリガリングしきい値が、ＵＥ能力によってサポートされるＣＳＩ−ＲＳポートの総数によって決定される、請求項４４に記載の装置。
【請求項４７】
コンポーネントキャリアインデックスに従って前記複数のＣＳＩ要求を順序付けること、
同じコンポーネントキャリアのためのＣＳＩプロセスのインデックスに従って前記複数のＣＳＩ要求をさらに順序付けること、ここにおいて、ＣＳＩフィードバック緩和のための前記識別された１つまたは複数のＣＳＩ要求が、前記順序付けられた複数のＣＳＩ要求にわたって識別される、
を行うための前記少なくとも１つのプロセッサの構成をさらに含む請求項４５に記載の装置。
【請求項４８】
請求項４４から４７の任意の組合せの装置。
【発明の詳細な説明】
【技術分野】
【０００１】
関連出願の相互参照
[0001]  本出願は、その全体が参照により本明細書に明確に組み込まれる、２０１５年１１月６日に出願された「CSI FEEDBACK PROCESSING AND REPORTING FOR EB/FD-MIMO」と題する国際ＰＣＴ特許出願第ＰＣＴ／ＣＮ２０１５／０９３９８４号の利益を主張する。
【０００２】
[0002]  本開示の態様は、一般にワイヤレス通信システムに関し、より詳細には、エレベーションビームフォーミング（ＥＢ：elevation beamforming）および全次元（ＦＤ：full-dimensional）多入力多出力（ＭＩＭＯ）のためのチャネル状態情報（ＣＳＩ：channel state information）フィードバック処理（feedback processing）およびＣＳＩ報告（reporting）に関する。
【背景技術】
【０００３】
[0003]  ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。通常、多元接続ネットワークである、そのようなネットワークは、利用可能なネットワークリソースを共有することによって複数のユーザのための通信をサポートする。そのようなネットワークの一例はユニバーサル地上波無線アクセスネットワーク（ＵＴＲＡＮ：Universal Terrestrial Radio Access Network）である。ＵＴＲＡＮは、第３世代パートナーシッププロジェクト（３ＧＰＰ（登録商標）：3rd Generation Partnership Project）によってサポートされる第３世代（３Ｇ）モバイルフォン技術である、ユニバーサルモバイルテレコミュニケーションズシステム（ＵＭＴＳ：Universal Mobile Telecommunications System）の一部として定義された無線アクセスネットワーク（ＲＡＮ：radio access network）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]  ワイヤレス通信ネットワークは、いくつかのユーザ機器（ＵＥ：user equipment）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]  基地局は、ＵＥにダウンリンク上でデータおよび制御情報を送信し得、ならびに／またはＵＥからアップリンク上でデータおよび制御情報を受信し得る。ダウンリンク上では、基地局からの送信は、ネイバー基地局からの送信、または他のワイヤレス無線周波数（ＲＦ）送信機からの送信による干渉に遭遇することがある。アップリンク上では、ＵＥからの送信は、ネイバー基地局と通信する他のＵＥのアップリンク送信からの干渉、または他のワイヤレスＲＦ送信機からの干渉に遭遇することがある。この干渉は、ダウンリンクとアップリンクの両方で性能を劣化させることがある。
【０００６】
[0006]  モバイルブロードバンドアクセスに対する需要が増加し続けるにつれて、干渉および輻輳ネットワークの可能性は、より多くのＵＥが長距離ワイヤレス通信ネットワーク（long-range wireless communication networks）にアクセスし、より多くの短距離ワイヤレスシステム（short-range wireless systems）がコミュニティにおいて展開されるようになるとともに増大する。モバイルブロードバンドアクセスに対する増大する需要を満たすためだけでなく、モバイル通信のユーザエクスペリエンスを進化および向上させるためにもＵＭＴＳ技術を進化させる研究および開発が続けられている。
【発明の概要】
【０００７】
[0007]  本開示の一態様では、ワイヤレス通信（wireless communication）の方法は、チャネル状態情報（ＣＳＩ）プロセスに関連する複数のチャネル状態情報基準信号（ＣＳＩ−ＲＳ：channel state information - reference signal）リソースの識別情報（identification）を取得することと、最後のビーム選択インジケータ（beam selection indicator）報告機会において、前のビーム選択インジケータ（previous beam selection indicator）がサービング基地局（serving base station）に報告されたかどうかを決定することと、前のビーム選択インジケータが報告されたと決定したことに応答して、前のビーム選択インジケータによって示された複数のＣＳＩ−ＲＳリソースのうちのＣＳＩ−ＲＳリソースを決定すること、および決定されたＣＳＩ−ＲＳリソースに関連するアンテナポート（antenna port）の数に基づいてチャネル状態情報（ＣＳＩ）報告タイプ（channel state information (CSI) reporting type）を選択することと、選択されたＣＳＩ報告タイプ（CSI reporting type）に従ってサービング基地局にＣＳＩを報告することとを含む。
【０００８】
[0008]  本開示の追加の態様では、ワイヤレス通信の方法は、ＣＳＩプロセスに関連する複数のＣＳＩ−ＲＳリソースの識別情報を取得することと、サービング基地局に報告するための合同報告（joint report）になるようにビーム選択インジケータとランクインジケータ（rank indicator）とを結合する（combine）ことを決定することと、ここにおいて、ビーム選択インジケータが複数のＣＳＩ−ＲＳリソースのうちのＣＳＩ−ＲＳリソースを識別する、合同報告のためのビット幅（bit width）を設定することと、ここにおいて、あらかじめ定義されたルール（predefined rule）に基づいてビット幅が固定される、合同報告を符号化することと、サービング基地局に符号化された合同報告（encoded joint report）を送信することとを含む。
【０００９】
[0009]  本開示の追加の態様では、ワイヤレス通信の方法は、１つまたは複数のコンポーネントキャリア（ＣＣ：component carrier）のためのＣＳＩ報告のための複数のＣＳＩ要求（request）を受信することと、複数のＣＳＩ要求のうちの１つまたは複数の無報告ＣＳＩ要求（unreported CSI request）を識別することと、ここにおいて、１つまたは複数の無報告ＣＳＩ要求が現在ＣＳＩトリガリングサブフレームの前に決定される、すべての１つまたは複数の無報告ＣＳＩ要求にわたって結合されたＣＳＩ−ＲＳポートの総数を決定することと、ここにおいて、ＣＳＩ−ＲＳポートの総数が、１つまたは複数のＣＣのうちのＣＣごとに、または１つまたは複数のＣＣのすべてにわたって、のうちの１つに対して決定される、ＣＳＩ−ＲＳポートの総数がトリガリングしきい値（triggering threshold）を超えることに応答して、複数のＣＳＩ要求のうちの１つまたは複数のＣＳＩ要求のためのＣＳＩフィードバック緩和（CSI feedback relaxation）を実行することとを含む。
【００１０】
[0010]  本開示の追加の態様では、ワイヤレス通信のために構成された装置は、ＣＳＩプロセスに関連する複数のＣＳＩ−ＲＳリソースの識別情報を取得するための手段と、最後のビーム選択インジケータ報告機会（last beam selection indicator reporting opportunity ）において、前のビーム選択インジケータがサービング基地局に報告されたかどうかを決定するための手段と、前のビーム選択インジケータが報告されたと決定したことに応答して、前のビーム選択インジケータによって示された複数のＣＳＩ−ＲＳリソースのうちのＣＳＩ−ＲＳリソースを決定するための手段、および決定されたＣＳＩ−ＲＳリソースに関連するアンテナポートの数に基づいてＣＳＩ報告タイプを選択するための手段と、選択されたＣＳＩ報告タイプに従ってサービング基地局にＣＳＩを報告するための手段とを含む。
【００１１】
[0011]  本開示の追加の態様では、ワイヤレス通信のために構成された装置は、ＣＳＩプロセスに関連する複数のＣＳＩ−ＲＳリソースの識別情報を取得するための手段と、サービング基地局に報告するための合同報告になるようにビーム選択インジケータとランクインジケータとを結合すべきかどうかを決定するための手段と、ここにおいて、ビーム選択インジケータが複数のＣＳＩ−ＲＳリソースのうちの１つのＣＳＩ−ＲＳリソースを識別する、合同報告のためのビット幅を設定するための手段と、ここにおいて、あらかじめ定義されたルールに基づいてビット幅が固定される、合同報告を符号化するための手段と、サービング基地局に符号化された合同報告を送信するための手段とを含む。
【００１２】
[0012]  本開示の追加の態様では、ワイヤレス通信のために構成された装置は、１つまたは複数のＣＣのためのＣＳＩ報告のための複数のＣＳＩ要求を受信するための手段と、複数のＣＳＩ要求のうちの１つまたは複数の無報告ＣＳＩ要求を識別するための手段と、ここにおいて、１つまたは複数の無報告ＣＳＩ要求が現在ＣＳＩトリガリングサブフレームの前に決定される、すべての１つまたは複数の無報告ＣＳＩ要求にわたって結合されたＣＳＩ−ＲＳポートの総数を決定するための手段と、ここにおいて、ＣＳＩ−ＲＳポートの総数が、１つまたは複数のＣＣのうちのＣＣごとに、または１つまたは複数のＣＣのすべてにわたって、のうちの１つに対して決定される、ＣＳＩ−ＲＳポートの総数がトリガリングしきい値を超えることに応答して、複数のＣＳＩ要求のうちの１つまたは複数のＣＳＩ要求のためのＣＳＩフィードバック緩和を実行するための手段とを含む。
【００１３】
[0013]  本開示の追加の態様では、プログラムコード（program code）を記録した非一時的コンピュータ可読媒体（non-transitory computer-readable medium）。プログラムコードは、ＣＳＩプロセスに関連する複数のＣＳＩ−ＲＳリソースの識別情報を取得するためのコードと、最後のビーム選択インジケータ報告機会において、前のビーム選択インジケータがサービング基地局に報告されたかどうかを決定するためのコードと、前のビーム選択インジケータが報告されたと決定したことに応答して、前のビーム選択インジケータによって示された複数のＣＳＩ−ＲＳリソースのうちのＣＳＩ−ＲＳリソースを決定するためのコード、および決定されたＣＳＩ−ＲＳリソースに関連するアンテナポートの数に基づいてＣＳＩ報告タイプを選択するためのコードの実行と、選択されたＣＳＩ報告タイプに従ってサービング基地局にＣＳＩを報告するためのコードとをさらに含む。
【００１４】
[0014]  本開示の追加の態様では、プログラムコードを記録した非一時的コンピュータ可読媒体。プログラムコードは、ＣＳＩプロセスに関連する複数のＣＳＩ−ＲＳリソースの識別情報を取得するためのコードと、サービング基地局に報告するための合同報告になるようにビーム選択インジケータとランクインジケータとを結合すべきかどうかを決定するためのコードと、ここにおいて、ビーム選択インジケータが複数のＣＳＩ−ＲＳリソースのうちのＣＳＩ−ＲＳリソースを識別する、合同報告のためのビット幅を設定するためのコードと、ここにおいて、あらかじめ定義されたルールに基づいてビット幅が固定される、合同報告を符号化するためのコードと、サービング基地局に符号化された合同報告を送信するためのコードとをさらに含む。
【００１５】
[0015]  本開示の追加の態様では、プログラムコードを記録した非一時的コンピュータ可読媒体。プログラムコードは、１つまたは複数のＣＣのためのＣＳＩ報告のための複数のＣＳＩ要求を受信するためのコードと、複数のＣＳＩ要求のうちの１つまたは複数の無報告ＣＳＩ要求を識別するためのコードと、ここにおいて、１つまたは複数の無報告ＣＳＩ要求が現在ＣＳＩトリガリングサブフレームの前に決定される、すべての１つまたは複数の無報告ＣＳＩ要求にわたって結合されたＣＳＩ−ＲＳポートの総数を決定するためのコードと、ここにおいて、ＣＳＩ−ＲＳポートの総数が、１つまたは複数のＣＣのうちのＣＣごとに、または１つまたは複数のＣＣのすべてにわたって、のうちの１つに対して決定される、ＣＳＩ−ＲＳポートの総数がトリガリングしきい値を超えることに応答して、複数のＣＳＩ要求のうちの１つまたは複数のＣＳＩ要求のためのＣＳＩフィードバック緩和を実行するためのコードとをさらに含む。
【００１６】
[0016]  本開示の追加の態様では、ワイヤレス通信のために構成された装置が開示される。本装置は、少なくとも１つのプロセッサと、プロセッサに結合されたメモリとを含む。プロセッサは、ＣＳＩプロセスに関連する複数のＣＳＩ−ＲＳリソースの識別情報を取得することと、最後のビーム選択インジケータ報告機会において、前のビーム選択インジケータがサービング基地局に報告されたかどうかを決定することと、前のビーム選択インジケータが報告されたと決定したことに応答して、前のビーム選択インジケータによって示された複数のＣＳＩ−ＲＳリソースのうちのＣＳＩ−ＲＳリソースを決定すること、および決定されたＣＳＩ−ＲＳリソースに関連するアンテナポートの数に基づいてＣＳＩ報告タイプを選択することを行うための構成と、選択されたＣＳＩ報告タイプに従ってサービング基地局にＣＳＩを報告することとを行うように構成される。
【００１７】
[0017]  本開示の追加の態様では、ワイヤレス通信のために構成された装置が開示される。本装置は、少なくとも１つのプロセッサと、プロセッサに結合されたメモリとを含む。プロセッサは、ＣＳＩプロセスに関連する複数のＣＳＩ−ＲＳリソースの識別情報を取得することと、サービング基地局に報告するための合同報告になるようにビーム選択インジケータとランクインジケータとを結合すべきかどうかを決定することと、ここにおいて、ビーム選択インジケータが複数のＣＳＩ−ＲＳリソースのうちのＣＳＩ−ＲＳリソースを識別する、合同報告のためのビット幅を設定することと、ここにおいて、あらかじめ定義されたルールに基づいてビット幅が固定される、合同報告を符号化することと、サービング基地局に符号化された合同報告を送信することとを行うように構成される。
【００１８】
[0018]  本開示の追加の態様では、ワイヤレス通信のために構成された装置が開示される。本装置は、少なくとも１つのプロセッサと、プロセッサに結合されたメモリとを含む。プログラムコードは、１つまたは複数のＣＣのためのＣＳＩ報告のための複数のＣＳＩ要求を受信することと、複数のＣＳＩ要求のうちの１つまたは複数の無報告ＣＳＩ要求を識別することと、ここにおいて、１つまたは複数の無報告ＣＳＩ要求が現在ＣＳＩトリガリングサブフレームの前に決定される、すべての１つまたは複数の無報告ＣＳＩ要求にわたって結合されたＣＳＩ−ＲＳポートの総数を決定することと、ここにおいて、ＣＳＩ−ＲＳポートの総数が、１つまたは複数のＣＣのうちのＣＣごとに、または１つまたは複数のＣＣのすべてにわたって、のうちの１つに対して決定される、ＣＳＩ−ＲＳポートの総数がトリガリングしきい値を超えることに応答して、複数のＣＳＩ要求のうちの１つまたは複数のＣＳＩ要求のためのＣＳＩフィードバック緩和を実行することとを行うように構成される。
【００１９】
[0019]  上記は、以下の発明を実施するための形態がより良く理解され得るように、本開示による例の特徴および技術的利点についてやや広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【００２０】
[0020]  本開示の性質および利点のさらなる理解は、以下の図面を参照することによって実現され得る。添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図面の簡単な説明】
【００２１】
【図１】[0021]  ワイヤレス通信システムの詳細を示すブロック図。
【図２】[0022]  本開示の一態様に従って構成された、基地局／ｅＮＢおよびＵＥの設計を概念的に示すブロック図。
【図３】[0023]  一般的な２Ｄアクティブアンテナアレイ（active antenna arra）を示すブロック図。
【図４】[0024]  本開示の一態様を実装するために実行される例示的なブロックを示すブロック図。
【図５Ａ】[0025]  本開示の態様に従って構成されたＵＥのＣＳＩ報告ストリームを示すブロック図。
【図５Ｂ】本開示の態様に従って構成されたＵＥのＣＳＩ報告ストリームを示すブロック図。
【図６Ａ】[0026]    本開示の態様に従って構成されたＵＥからのＣＳＩ報告ストリームを示すブロック図。
【図６Ｂ】本開示の態様に従って構成されたＵＥからのＣＳＩ報告ストリームを示すブロック図。
【図７】[0027]  本開示の一態様を実装するために実行される例示的なブロックを示すブロック図。
【図８】[0028]  本開示の一態様を実装するために実行される例示的なブロックを示すブロック図。
【図９Ａ】[0029]  本開示の態様に従って構成されたＵＥによるＣＳＩフィードバック緩和の例示的な態様を示すブロック図。
【図９Ｂ】本開示の態様に従って構成されたＵＥによるＣＳＩフィードバック緩和の例示的な態様を示すブロック図。
【図９Ｃ】本開示の態様に従って構成されたＵＥによるＣＳＩフィードバック緩和の例示的な態様を示すブロック図。
【図１０】[0030]  本開示の様々な態様に従って構成されたＵＥを示すブロック図。
【発明を実施するための形態】
【００２２】
[0031]  添付の図面に関して以下に記載される発明を実施するための形態は、様々な可能な構成を説明するものであり、本開示の範囲を限定するものではない。そうではなく、発明を実施するための形態は、本発明の主題の完全な理解を与えるための具体的な詳細を含む。これらの具体的な詳細は、あらゆる場合において必要とされるとは限らないことと、いくつかの事例では、よく知られている構造および構成要素は、提示を明快にするためにブロック図の形式で示されることとが当業者には明らかであろう。
【００２３】
[0032]  本開示は、一般に、ワイヤレス通信ネットワークとも呼ばれる、２つまたはそれ以上のワイヤレス通信システム間での許可された共有アクセスを与えることまたはそのアクセスに関与することに関する。様々な実施形態では、技法および装置は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、ＬＴＥ（登録商標）ネットワーク、ＧＳＭ（登録商標）ネットワーク、ならびに他の通信ネットワークなど、ワイヤレス通信ネットワークのために使用され得る。本明細書で説明される「ネットワーク」および「システム」という用語は互換的に使用され得る。
【００２４】
[0033]  ＣＤＭＡネットワークは、ユニバーサル地上波無線アクセス（ＵＴＲＡ：universal terrestrial radio access）、ｃｄｍａ２０００などの無線技術を実装し得る。ＵＴＲＡは、広帯域ＣＤＭＡ（Ｗ−ＣＤＭＡ（登録商標））と低チップレート（ＬＣＲ： low chip rate）とを含む。ＣＤＭＡ２０００は、ＩＳ−２０００、ＩＳ−９５、およびＩＳ−８５６規格をカバーする。
【００２５】
[0034]  ＴＤＭＡネットワークは、モバイル通信用グローバルシステム（ＧＳＭ：Global System for Mobile Communications）などの無線技術を実装し得る。３ＧＰＰは、ＧＥＲＡＮとしても示されるＧＳＭ  ＥＤＧＥ（ＧＳＭ進化型高速データレート（enhanced data rates for GSM evolution））無線アクセスネットワーク（ＲＡＮ）のための規格を定義する。ＧＥＲＡＮは、基地局（たとえば、ＡｔｅｒおよびＡｂｉｓインターフェース）と基地局コントローラ（Ａインターフェースなど）とを結合するネットワークとともにＧＳＭ／ＥＤＧＥの無線構成要素である。無線アクセスネットワークはＧＳＭネットワークの構成要素を表し、それを通して、通話およびパケットデータが公衆交換電話網（ＰＳＴＮ：public switched telephone network）およびインターネットからユーザ端末またはユーザ機器（ＵＥ）としても知られる加入者ハンドセットにルーティングされ、また加入者ハンドセットからＰＳＴＮおよびインターネットにルーティングされる。モバイルフォン事業者のネットワークは、１つまたは複数のＧＥＲＡＮを備え得、それは、ＵＭＴＳ／ＧＳＭネットワークの場合、ＵＴＲＡＮに結合され得る。事業者ネットワークはまた、１つまたは複数のＬＴＥネットワーク、および／または１つまたは複数の他のネットワークを含み得る。様々な異なるネットワークタイプは、異なる無線アクセス技術（ＲＡＴ：radio access technology）と無線アクセスネットワーク（ＲＡＮ）とを使用し得る。
【００２６】
[0035]  ＯＦＤＭＡネットワークは、発展型ＵＴＲＡ（Ｅ−ＵＴＲＡ：evolved UTRA）、ＩＥＥＥ８０２．１１、ＩＥＥＥ８０２．１６、ＩＥＥＥ８０２．２０、ｆｌａｓｈ−ＯＦＤＭなどの無線技術を実装し得る。ＵＴＲＡ、Ｅ−ＵＴＲＡ、およびＧＳＭは、ユニバーサルモバイルテレコミュニケーションシステム（ＵＭＴＳ：universal mobile telecommunication system）の一部である。特に、ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）と称する団体から提供されている文書に記載されており、ｃｄｍａ２０００は、「第３世代パートナーシッププロジェクト２」（３ＧＰＰ２：3rd Generation Partnership Project 2）と称する団体からの文書に記載されている。これらの様々な無線技術および規格は知られているかまたは開発されている。たとえば、第３世代パートナーシッププロジェクト（３ＧＰＰ）は、グローバルに適用可能な第３世代（３Ｇ）モバイルフォン仕様を定義することを目的とする電気通信協会のグループ間のコラボレーションである。３ＧＰＰロングタームエボリューション（ＬＴＥ）は、ユニバーサルモバイルテレコミュニケーションズシステム（ＵＭＴＳ）モバイルフォン規格を改善することを目的とした３ＧＰＰプロジェクトである。３ＧＰＰは、次世代のモバイルネットワーク、モバイルシステム、およびモバイルデバイスのための仕様を定義し得る。明快のために、装置および技法のいくつかの態様は、以下ではＬＴＥ実装形態に関してまたはＬＴＥ中心の方法で説明されることがあり、以下の説明の部分ではＬＴＥ用語が例示的な例として使用されることがあるが、その説明は、ＬＴＥ適用例に限定されるものではない。実際、本開示は、異なる無線アクセス技術または無線エアインターフェースを使用した、ネットワーク間のワイヤレススペクトルへの共有アクセスに関係する。
【００２７】
[0036]  また、キャリアグレードＷｉＦｉ（登録商標）に適合し得る、無認可スペクトル中に含むＬＴＥ／ＬＴＥ−Ａに基づくニューキャリアタイプが提案されており、それにより、無認可スペクトルを用いるＬＴＥ／ＬＴＥ−ＡがＷｉＦｉの代替になる。ＬＴＥ／ＬＴＥ−Ａは、無認可スペクトル中で動作するとき、ＬＴＥ概念を活用し得、無認可スペクトル中での効率的な動作を可能にすることと、規制要件を満たすこととのために、ネットワークまたはネットワークデバイスの物理レイヤ（ＰＨＹ）およびメディアアクセス制御（ＭＡＣ）態様にいくつかの変更を導入し得る。使用される無認可スペクトルは、たとえば、数百メガヘルツ（ＭＨｚ）程度から数十ギガヘルツ（ＧＨｚ）程度までにわたり得る。動作中、そのようなＬＴＥ／ＬＴＥ−Ａネットワークは、負荷と利用可能性とに応じて認可スペクトルまたは無認可スペクトルの任意の組合せで動作し得る。したがって、本明細書で説明されるシステム、装置および方法は他の通信システムおよび適用例に適用され得ることが当業者には明らかであり得る。
【００２８】
[0037]  システム設計は、ビームフォーミングおよび他の機能を可能にするためにダウンリンクおよびアップリンクのための様々な時間周波数基準信号をサポートし得る。基準信号（reference signal）は、知られているデータに基づいて生成される信号であり、パイロット、プリアンブル、トレーニング信号、サウンディング信号などと呼ばれることもある。基準信号は、チャネル推定、コヒーレント復調、チャネル品質測定、信号強度測定など、様々な目的のために受信機によって使用され得る。複数のアンテナを使用するＭＩＭＯシステムは、概して、アンテナ間での基準信号の送信の協調（coordination）を行うが、ＬＴＥシステムは、概して、複数の基地局またはｅＮＢからの基準信号の送信の協調を行わない。
【００２９】
[0038]  いくつかの実装形態では、システムは時分割複信（ＴＤＤ）を利用し得る。ＴＤＤでは、ダウンリンクとアップリンクとは同じ周波数スペクトルまたはチャネルを共有し、ダウンリンク送信とアップリンク送信とは同じ周波数スペクトル上で送られる。したがって、ダウンリンクチャネル応答はアップリンクチャネル応答と相関し得る。相反性（Reciprocity）により、アップリンクを介して送られた送信に基づいてダウンリンクチャネルを推定することが可能になり得る。これらのアップリンク送信は、（復調後に基準シンボルとして使用され得る）基準信号またはアップリンク制御チャネルであり得る。アップリンク送信は、複数のアンテナを介した空間選択チャネルの推定を可能にし得る。
【００３０】
[0039]  ＬＴＥ実装形態では、ダウンリンクのために、すなわち、基地局、アクセスポイントまたはｅノードＢ（ｅＮＢ）からユーザ端末またはＵＥまで、直交周波数分割多重（ＯＦＤＭ）が使用される。ＯＦＤＭの使用は、スペクトルフレキシビリティについてのＬＴＥ要件を満たし、高いピークレートで極めて広いキャリアのためのコスト効率の高いソリューションを可能にし、定着した技術である。たとえば、ＯＦＤＭは、ＩＥＥＥ８０２．１１ａ／ｇ、８０２．１６、欧州通信規格協会（ＥＴＳＩ：European Telecommunications Standards Institute）によって規格化されたＨｉｇｈ  Ｐｅｒｆｏｒｍａｎｃｅ  Ｒａｄｉｏ  ＬＡＮ−２（ＨＩＰＥＲＬＡＮ−２、ここにおいてＬＡＮはローカルエリアネットワークを表す）、ＥＴＳＩの合同技術委員会によって公開されたデジタルビデオブロードキャスティング（ＤＶＢ：Digital Video Broadcasting）などの規格、および他の規格において使用される。
【００３１】
[0040]  時間周波数物理リソースブロック（ここではリソースブロック（resource block）、または簡潔のために「ＲＢ」としても示される）は、ＯＦＤＭシステムにおいて、トランスポートデータに割り当てられたトランスポートキャリア（たとえば、サブキャリア）または間隔のグループとして定義され得る。ＲＢは、時間および周波数期間にわたって定義される。リソースブロックは、スロットにおける時間および周波数のインデックス（index）によって定義され得る時間周波数リソース要素（ここではリソース要素（resource element）、または簡潔のために「ＲＥ」としても示される）から構成される。ＬＴＥ  ＲＢおよびＲＥのさらなる詳細は、たとえば、３ＧＰＰ  ＴＳ３６．２１１などの３ＧＰＰ仕様に記載されている。
【００３２】
[0041]  ＵＭＴＳ  ＬＴＥは、２０ＭＨｚから１．４ＭＨＺまでのスケーラブルなキャリア帯域幅をサポートする。ＬＴＥでは、ＲＢは、サブキャリア帯域幅が１５ｋＨｚであるときは１２個のサブキャリアとして定義され、またはサブキャリア帯域幅が７．５ｋＨｚであるときは２４個のサブキャリアとして定義される。例示的な実装形態では、時間領域において、１０ｍｓ長であり、それぞれ１ミリ秒（ｍｓ）の１０個のサブフレームからなる、定義された無線フレームがある。あらゆるサブフレームは、各スロットが０．５ｍｓである２つのスロットからなる。この場合、周波数領域におけるサブキャリア間隔は１５ｋＨｚである。（スロットごとに）これらのサブキャリアのうち１２個を合わせると、ＲＢが構成され、したがって、この実装形態では、１つのリソースブロックは１８０ｋＨｚである。６つのリソースブロックは１．４ＭＨｚのキャリアに適合し、１００個のリソースブロックは２０ＭＨｚのキャリアに適合する。
【００３３】
[0042]  本開示の様々な他の態様および特徴が以下でさらに説明される。本明細書の教示は多種多様な形態で実施され得、本明細書で開示される特定の構造、機能、またはその両方は代表的なものにすぎず、限定するものではないことは明らかであろう。本明細書の教示に基づいて、本明細書で開示される態様は他の態様から独立して実装され得ること、およびこれらの態様のうちの２つまたはそれ以上は様々な方法で組み合わせられ得ることを、当業者は諒解されたい。たとえば、本明細書に記載の態様をいくつ使用しても、装置は実装され得、または方法は実施され得る。さらに、本明細書に記載される態様のうちの１つまたは複数に加えて、あるいはそれら以外の他の構造、機能、または構造および機能を使用して、そのような装置が実装され得、またはそのような方法が実施され得る。たとえば、方法は、システム、デバイス、装置の一部として実装され、および／あるいはプロセッサまたはコンピュータ上での実行のためにコンピュータ可読媒体に記憶された命令として実装され得る。さらに、１つの態様は、１つの請求項の少なくとも１つの要素を備え得る。
【００３４】
[0043]  図１は、ＬＴＥ−Ａネットワークであり得る、通信のためのワイヤレスネットワーク１００を示す。ワイヤレスネットワーク１００は、いくつかの発展型ノードＢ（ｅＮＢ）１０５と他のネットワークエンティティとを含む。ｅＮＢは、ＵＥと通信する局であり得、基地局、ノードＢ、アクセスポイントなどと呼ばれることもある。各ｅＮＢ１０５は、特定の地理的エリアに通信カバレージを与え得る。３ＧＰＰでは、「セル」という用語は、その用語が使用されるコンテキストに応じて、ｅＮＢのこの特定の地理的カバレージエリアおよび／またはそのカバレージエリアをサービスするｅＮＢサブシステムを指すことがある。
【００３５】
[0044]  ｅＮＢは、マクロセル、あるいは、ピコセルまたはフェムトセル、および／または他のタイプのセルなど、スモールセルに通信カバレージを与え得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルなどのスモールセルは、概して、比較的小さい地理的エリアをカバーすることになり、ネットワークプロバイダのサービスに加入しているＵＥによる無制限アクセスを可能にし得る。また、フェムトセルなどのスモールセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスをも可能にし得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。図１に示されている例では、ｅＮＢ１０５ａ、１０５ｂおよび１０５ｃは、それぞれマクロセル１１０ａ、１１０ｂおよび１１０ｃのためのマクロｅＮＢである。ｅＮＢ１０５ｘ、１０５ｙ、および１０５ｚは、スモールセルｅＮＢであり、これらは、それぞれ、スモールセル１１０ｘ、１１０ｙ、および１１０ｚにサービスを提供するピコｅＮＢまたはフェムトｅＮＢを含み得る。ｅＮＢは、１つまたは複数の（たとえば、２つ、３つ、４つなどの）セルをサポートし得る。
【００３６】
[0045]  ワイヤレスネットワーク１００は同期動作または非同期動作をサポートし得る。同期動作の場合、ｅＮＢは同様のフレームタイミングを有し得、異なるｅＮＢからの送信は時間的にほぼ整合され得る。非同期動作の場合、ｅＮＢは異なるフレームタイミングを有し得、異なるｅＮＢからの送信は時間的に整合されないことがある。
【００３７】
[0046]  ＵＥ１１５はワイヤレスネットワーク１００全体にわたって分散され、各ＵＥは固定または移動であり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。図１において、稲妻線（たとえば、通信リンク１２５）は、ダウンリンクおよび／またはアップリンク上での、ＵＥと、そのＵＥをサービスするように指定されたｅＮＢであるサービングｅＮＢとの間のワイヤレス送信、あるいはｅＮＢ間の所望の送信を示す。ワイヤードバックホール通信（Wired backhaul communication）１３４は、ｅＮＢ間で行われ得るワイヤードバックホール通信を示す。
【００３８】
[0047]  ＬＴＥ／−Ａは、ダウンリンク上では直交周波数分割多重（ＯＦＤＭ）を利用し、アップリンク上ではシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｘ個）の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｘ）はシステム帯域幅に依存し得る。たとえば、Ｘは、１．４、３、５、１０、１５、または２０メガヘルツ（ＭＨｚ）の対応するシステム帯域幅に対してそれぞれ７２、１８０、３００、６００、９００、および１２００に等しくなり得る。システム帯域幅はまた、サブバンドに区分され得る。たとえば、サブバンドは１．０８ＭＨｚをカバーし得、１．４、３、５、１０、１５、または２０ＭＨｚの対応するシステム帯域幅に対してそれぞれ１つ、２つ、４つ、８つ、または１６個のサブバンドがあり得る。
【００３９】
[0048]  図２は、図１中の基地局／ｅＮＢのうちの１つであり得る基地局／ｅＮＢ１０５および図１中のＵＥのうちの１つであり得るＵＥ１１５の設計のブロック図を示す。制限付き関連付けシナリオの場合、ｅＮＢ１０５は図１中のスモールセルｅＮＢ１０５ｚであり得、ＵＥ１１５はＵＥ１１５ｚであり得、ＵＥ１１５ｚは、スモールセルｅＮＢ１０５ｚにアクセスするために、スモールセルｅＮＢ１０５ｚのためにアクセス可能なＵＥのリスト中に含まれることになる。ｅＮＢ１０５はまた、何らかの他のタイプの基地局であり得る。ｅＮＢ１０５はアンテナ２３４ａ〜２３４ｔを装備し得、ＵＥ１１５はアンテナ２５２ａ〜２５２ｒを装備し得る。
【００４０】
[0049]  ｅＮＢ１０５において、送信プロセッサ２２０は、データソース２１２からデータを受信し、コントローラ／プロセッサ２４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ２２０は、データシンボルおよび制御シンボルを取得するために、それぞれデータおよび制御情報を処理（たとえば、符号化およびシンボルマッピング）し得る。送信プロセッサ２２０はまた、たとえば、ＰＳＳ、ＳＳＳ、およびセル固有基準信号のための基準シンボルを生成し得る。送信（ＴＸ）多入力多出力（ＭＩＭＯ）プロセッサ２３０は、適用可能な場合、データシンボル、制御シンボル、および／または基準シンボルに対して空間処理（たとえば、プリコーディング）を実行し得、出力シンボルストリームを変調器（ＭＯＤ）２３２ａ〜２３２ｔに与え得る。各変調器２３２は、出力サンプルストリームを取得するために、（たとえば、ＯＦＤＭなどのために）それぞれの出力シンボルストリームを処理し得る。各変調器２３２は、さらに、ダウンリンク信号を取得するために、出力サンプルストリームを処理（たとえば、アナログへの変換、増幅、フィルタ処理、およびアップコンバート）し得る。変調器２３２ａ〜２３２ｔからのダウンリンク信号は、それぞれアンテナ２３４ａ〜２３４ｔを介して送信され得る。
【００４１】
[0050]  ＵＥ１１５において、アンテナ２５２ａ〜２５２ｒは、ｅＮＢ１０５からダウンリンク信号を受信し得、受信信号をそれぞれ復調器（ＤＥＭＯＤ）２５４ａ〜２５４ｒに与え得る。各復調器２５４は、入力サンプルを取得するために、それぞれの受信信号を調整（たとえば、フィルタ処理、増幅、ダウンコンバート、およびデジタル化）し得る。各復調器２５４は、さらに、受信シンボルを取得するために、（たとえば、ＯＦＤＭなどのための）入力サンプルを処理し得る。ＭＩＭＯ検出器２５６は、すべての復調器２５４ａ〜２５４ｒから受信シンボルを取得し、適用可能な場合は受信シンボルに対してＭＩＭＯ検出を実行し、検出シンボルを与え得る。受信プロセッサ２５８は、検出されたシンボルを処理（たとえば、復調、デインターリーブ、および復号）し、ＵＥ１１５のための復号されたデータをデータシンク２６０に与え、復号された制御情報をコントローラ／プロセッサ２８０に与え得る。
【００４２】
[0051]  アップリンク上では、ＵＥ１１５において、送信プロセッサ２６４は、データソース２６２から（たとえば、ＰＵＳＣＨのための）データを受信し、処理し得、コントローラ／プロセッサ２８０から（たとえば、ＰＵＣＣＨのための）制御情報を受信し、処理し得る。送信プロセッサ２６４はまた、基準信号のための基準シンボルを生成し得る。送信プロセッサ２６４からのシンボルは、適用可能な場合はＴＸ  ＭＩＭＯプロセッサ２６６によってプリコードされ、さらに（たとえば、ＳＣ−ＦＤＭなどのために）変調器２５４ａ〜２５４ｒによって処理され、ｅＮＢ１０５に送信され得る。ｅＮＢ１０５において、ＵＥ１１５からのアップリンク信号は、アンテナ２３４によって受信され、復調器２３２によって処理され、適用可能な場合はＭＩＭＯ検出器２３６によって検出され、ＵＥ１１５によって送られた復号されたデータと制御情報とを取得するために、受信プロセッサ２３８によってさらに処理され得る。プロセッサ２３８は、復号されたデータをデータシンク２３９に与え、復号された制御情報をコントローラ／プロセッサ２４０に与え得る。
【００４３】
[0052]  コントローラ／プロセッサ２４０および２８０は、それぞれ、ｅＮＢ１０５およびＵＥ１１５における動作を指示し得る。ｅＮＢ１０５におけるコントローラ／プロセッサ２４０ならびに／または他のプロセッサおよびモジュールは、本明細書で説明される技法のための様々なプロセスを実行するか、またはそれらの実行を指示し得る。ＵＥ１１５におけるコントローラ／プロセッサ２８０ならびに／または他のプロセッサおよびモジュールはまた、図４、図７、および図８に示されている機能ブロック、および／または本明細書で説明される技法のための他のプロセスを実行するか、またはその実行を指示し得る。メモリ２４２および２８２は、それぞれｅＮＢ１０５およびＵＥ１１５のためのデータおよびプログラムコードを記憶し得る。スケジューラ２４４は、ダウンリンクおよび／またはアップリンク上でのデータ送信のためにＵＥをスケジューリングし得る。
【００４４】
[0053]  多入力多出力（ＭＩＭＯ）技術は、概して、通信が、ｅＮＢにおいてチャネル状態情報（ＣＳＩ）フィードバックの使用によって空間次元を利用することを可能にする。ｅＮＢは、ＣＳＩ−ＲＳ構成および送信モードなど、ＲＲＣを介してｅＮＢによってシグナリングされる構成に基づいてＵＥがそれについてＣＳＩを測定する、セル固有ＣＳＩ基準信号（ＣＳＩ−ＲＳ）をブロードキャストし得る。ＵＥは、同じくｅＮＢによって構成されるＣＳＩ報告インスタンスにおいて、ＣＳＩを報告し得る。ＣＳＩ報告の一部として、ＵＥは、チャネル品質インジケータ（ＣＱＩ：channel quality indicator）と、プリコーディング行列インジケータ（ＰＭＩ：precoding matrix indicator）と、ランクインジケータ（ＲＩ：rank indicator）とを生成および報告する。ＣＳＩは、ＰＵＣＣＨを介して、またはＰＵＳＣＨを介してのいずれかで報告され得る。ＰＵＣＣＨを介して報告されるとき、ＣＳＩのためのペイロードサイズ（payload size）が制限され得る。
【００４５】
[0054]  システム容量を増加させるために、ｅＮＢが、水平軸と垂直軸の両方を有するアンテナポートをもつ多数のアンテナをもつ２次元（２Ｄ）アクティブアンテナアレイ（ active antenna array）を使用し、より多数のトランシーバユニットを有する、全次元（ＦＤ）ＭＩＭＯ技術が検討されている。従来のＭＩＭＯシステムの場合、３Ｄマルチパス伝搬（3D multi-path propagation）のものであるが、アジマス次元（azimuth dimension）のみを使用するビームフォーミング（beamforming）が一般に実装した。しかしながら、ＦＤ−ＭＩＭＯの場合、各トランシーバユニットは、それ自体の独立した振幅および位相制御を有する。２Ｄアクティブアンテナアレイとともにそのような能力（capability）は、従来のマルチアンテナシステムの場合のように、水平方向においてだけでなく、同時に水平方向と垂直方向の両方においても、送信信号がステアリングされることを可能にし、このことは、ｅＮＢからＵＥへのビーム方向を整形する際によりフレキシビリティを与える。垂直方向に動的ビームステアリングを行うことは、干渉回避において有意な利得を生じることが示されている。したがって、ＦＤ−ＭＩＭＯ技術は、アジマスビームフォーミング（azimuth beamforming）とエレベーションビームフォーミングの両方を利用し得、このことは、ＭＩＭＯシステム容量および信号品質を大幅に改善することになる。
【００４６】
[0055]  図３は、一般的な２Ｄアクティブアンテナアレイ３０を示すブロック図である。アクティブアンテナアレイ３０は、各列が８つの交差偏波垂直アンテナエレメント（cross-polarized vertical antenna element）を含む４つの列を備える、６４送信機交差偏波均一平面アンテナアレイ（64-transmitter, cross-polarized uniform planar antenna array）である。アクティブアンテナアレイは、しばしば、アンテナ列の数（Ｎ）、偏波タイプ（Ｐ）、および１つの列中の同じ偏波タイプを有する垂直エレメントの数（Ｍ）によって表される。したがって、アクティブアンテナアレイ３０は、８つの垂直（Ｍ＝８）交差偏波アンテナエレメント（Ｐ＝２）をもつ４つの列（Ｎ＝４）を有する。
【００４７】
[0056]  ２Ｄアレイ構造の場合、エレベーションビームフォーミングによる垂直次元（vertical dimension）を活用するために、ＣＳＩが基地局において必要とされる。ＣＳＩは、ＰＭＩ、ＲＩ、およびＣＱＩに関して、ダウンリンクチャネル推定と、（１つまたは複数の）あらかじめ定義されたＰＭＩコードブック（codebook）とに基づいて、移動局によって基地局にフィードバックされ得る。しかしながら、従来のＭＩＭＯシステムとは異なる、ＦＤ−ＭＩＭＯが可能なｅＮＢは、一般に、大規模アンテナシステムを装備しており、したがって、ＵＥからのフルアレイ（full array）ＣＳＩの収集（acquisition）は、チャネル推定の複雑さ、および過大なダウンリンクＣＳＩ−ＲＳオーバーヘッドとアップリンクＣＳＩフィードバックオーバーヘッド（feedback overhead）の両方により極めて難しい。
【００４８】
[0057]  エレベーションビームフォーミング（ＥＢ）−ＭＩＭＯまたはＦＤ−ＭＩＭＯを有するシステムにおけるＣＳＩ報告の場合、ＣＳＩプロセスが、２つのＣＳＩ報告クラスのうちのいずれか、クラスＡまたはクラスＢを用いて構成され得る。クラスＡの報告では、ＣＳＩプロセスごとの１つの非ゼロ電力（ＮＺＰ：non-zero power）ＣＳＩ−ＲＳリソースが、チャネル測定のために使用され得、ここで、ＣＳＩ−ＲＳポートの数は８、１２、または１６であり得る。クラスＡの報告における干渉測定は、ＣＳＩプロセスごとに１つのＣＳＩ−ＩＭリソースを含み得る。
【００４９】
[0058]  クラスＢのＣＳＩ報告では、各ＣＳＩプロセスは、Ｋ個のＮＺＰ  ＣＳＩ−ＲＳリソース／構成に関連し得、ｋ番目のＣＳＩ−ＲＳリソースのためのＮk個のポートをもち（Ｋは≧１であり得る）、ここで、Ｎkは、１、２、４、または８であり得、各ＣＳＩ−ＲＳリソースについて異なり得る。各ＣＳＩ−ＲＳリソースはまた、たとえば、アンテナエレメントの異なるセットから仮想化される、または、アンテナエレメントの同じセットから仮想化されるが異なるビームフォーミング重みを用いる、異なるＣＳＩ−ＲＳポート仮想化を有し得る。また、ＣＳＩプロセスごとの複数ＣＳＩ干渉測定（ＩＭ：interference measurement）が、各ＮＺＰ  ＣＳＩ−ＲＳリソースへの１対１のリンケージを用いて可能である。
【００５０】
[0059]  Ｋ＞１個のＣＳＩ−ＲＳリソースをもつクラスＢにおけるＣＳＩ報告では、所与のＣＳＩプロセスについて、ビーム選択インジケータ（ＢＩ：beam selection indicator）およびＣＳＩがＵＥによって報告され得る。ＢＩは、Ｋ個の構成されたＣＳＩ−ＲＳリソース内の特定のＣＳＩ−ＲＳリソースのインデックスを表す広帯域パラメータであり、報告されるＣＳＩ、たとえば、ＣＱＩ／ＰＭＩ／ＲＩは、報告されたＢＩに対応するＣＳＩ−ＲＳリソース上で測定される。ＢＩは、ＰＵＣＣＨまたはＰＵＳＣＨ上でＵＥによって報告され得る。ＰＵＣＣＨ２／２ａ／２ｂなど、ＰＵＣＣＨ上で報告されるとき、それは、ランクインジケータ（ＲＩ）周期性の整数倍であるか、またはＲＩ周期性と等価である、周期性を用いて構成され得る。ＢＩを含むＣＳＩ報告タイプは、ＢＩを含まないＣＳＩタイプよりも高い優先度を有する。ＢＩは、他のＣＳＩパラメータと別々に報告され得るか、またはＲＩと合同で報告され得る。しかしながら、ＰＵＳＣＨ上で報告されるとき、ＢＩは、ＰＭＩ、ＣＱＩ、およびＲＩなど、他のＣＳＩパラメータとともに報告されることになる。
【００５１】
[0060]  モード１−１およびモード２−１におけるＰＵＣＣＨ上の周期ＣＳＩ報告（Periodic CSI reporting）が、ＰＭＩ／ＲＩ報告のために構成され得る。たとえば、モード１−１は、２つのサブモード（submode）、サブモード１または２を含む広帯域ＣＱＩ報告（wideband CQI reporting）のために定義され、モード２−１は、広帯域／サブバンドＣＱＩ報告のために定義される。異なるアンテナポートに応じて、サポートされるモード／サブモードは、ＰＭＩ／ＲＩ報告について異なり得、たとえば、２ポートＣＳＩ−ＲＳが、サブモードなしのモード１−１と、モード２−１とをサポートし、４ポートＣＳＩ−ＲＳが、すべてのモード、すなわちサブモードなしのモード１−１と、モード１−１サブモード１と、モード１−１サブモード２と、モード２−１とをサポートし、８ポートＣＳＩ−ＲＳが、モード１−１サブモード１と、モード１−１サブモード２と、モード２−１とをサポートする。単一のＣＳＩ−ＲＳリソースをもつＣＳＩ報告、たとえば、Ｋ＝１の場合のクラスＡまたはクラスＢの場合、ＵＥは、上位レイヤシグナリングを通して特定のモード／サブモードのために構成され得る。したがって、所与のモード／サブモードおよびアンテナポートの数について、ＣＳＩフィードバックのためのＣＳＩ報告タイプが決定される。
【００５２】
[0061]  ＰＵＣＣＨモード１−１（広帯域ＣＱＩ）では、完全ＣＳＩは、異なるサブフレーム中で多重化された２つの報告からなる。以下で表１に示されているように、ＲＩをもつＣＳＩタイプを含む第１の報告、すなわち報告１は、ＣＱＩをもつＣＳＩタイプを含む第２の報告、すなわち報告２よりも長い報告周期性（reporting periodicity）を有する。
【００５３】
【表１】
2019500824.tif 000003
【００５４】
[0062]  ＰＵＣＣＨモード２−１（広帯域／サブバンドＣＱＩ）では、完全ＣＳＩは、異なるサブフレーム中で多重化された３つの報告からなる。以下で表２に示されているように、異なる報告は、異なる周期性、たとえば、報告１＞報告２＞報告３と、異なるペイロードサイズとを有し得る。
【００５５】
【表２】
2019500824.tif 000004
【００５６】
[0063]  ２つ以上のＣＳＩ−ＲＳリソース（Ｋ＞１）をもつクラスＢにおけるＣＳＩ報告は、ＣＳＩ報告タイプあいまいさ（CSI reporting type ambiguity）を生じ得る。異なるアンテナポートについて、ＣＳＩ報告タイプは、同じ報告モード／サブモードの場合でも異なり得る。たとえば、２ポートのためのＰＵＣＣＨモード２−１と、８ポートのためのＰＵＣＣＨモード２−１とは、異なるＣＳＩ報告タイプを有することができる。したがって、ＣＳＩ報告のための異なるＮkをもつ異なるＣＳＩ−ＲＳリソースの選択が、ＣＳＩ報告タイプを決定するための潜在的あいまいさを生じ得る。
【００５７】
[0064]  その上、ＲＩ報告は、選択されたＣＳＩ−ＲＳリソースを条件とする。しかしながら、報告されるＢＩは、送信レイヤの数が１、２、．．．、またはＮkであり得る、ＣＳＩ−ＲＳリソース／構成の選択を示す。ＢＩとＲＩとが同時に報告されないとき、ＣＳＩ報告のための異なるＮkを有する異なるＣＳＩ−ＲＳリソースの選択とともに、ランクあいまいさが生じ得る。したがって、ＢＩとの衝突などにより、ＲＩが報告されないか、またはＲＩのための報告インスタンスが利用可能でないとき、ＢＩ報告の後にＣＱＩ／ＰＭＩ測定のための基準ランクを決定することに関して問題が生じ得る。直近のＢＩ報告の前に最後の報告されたＲＩが、直近のＢＩに対応するＣＳＩ−ＲＳリソースに適合しないとき、たとえば、選択されたＣＳＩ−ＲＳリソースに関連するポートの数Ｎkが、最後の報告されたＲＩに適合しないとき、別の問題が生じ得る。本開示の様々な態様は、異種ＣＳＩ−ＲＳリソースのためのＣＳＩ報告タイプを決定することを対象とする。
【００５８】
[0065]  図４は、本開示の一態様を実装するために実行される例示的なブロックを示すブロック図である。図４はまた、本開示の様々な態様に従って構成されたＵＥ１０００を示すブロック図である、図１０関して説明される。ＵＥ１１５（図２）で示されたものと同様の特徴および構成要素を含む、ＵＥ１０００は、コントローラ／プロセッサ２８０と、コントローラ／プロセッサ２８０と通信中のおよびそれの制御下のメモリ２８２と、ワイヤレス無線機１００１ａ〜ｒと、アンテナ２５２ａ〜ｒとを含む。ワイヤレス無線機１００１ａ〜ｒは、各々図２に示されているように、復調器／変調器２５４ａ〜ｒ、ＭＩＭＯ検出器２５６、受信プロセッサ２５８、送信プロセッサ２６４、およびＴＸ  ＭＩＭＯプロセッサ２６６など、複数の構成要素およびハードウェアを含む。ＵＥ１０００の特徴および機能は、コントローラ／プロセッサ２８０によって実行および制御される。メモリ２８２は、コントローラ／プロセッサ２８０によって実行されるとき、本開示の様々な態様を実装するための動作環境およびプロセスを作成する、様々な論理、ソフトウェア、またはファームウェアを含んでいる。
【００５９】
[0066]  ブロック４００において、ＵＥ１０００など、ＵＥは、ＣＳＩプロセスに関連する複数のＣＳＩ−ＲＳリソースの識別情報を取得する。ＣＳＩ−ＲＳリソースの数が１よりも大きい（Ｋ＞１）場合、ＣＳＩ報告はクラスＢとして決定される。たとえば、ＵＥ１０００は、アンテナ２５２ａ〜ｒ、ワイヤレス無線機１００１ａ〜ｒを通してサービング基地局からシグナリングを受信し、これは、コントローラ／プロセッサ２８０によって復号および処理される。
【００６０】
[0067]  ブロック４０１において、前のＢＩがＵＥによって報告されていたかどうかの決定が行われる。ＵＥ１０００など、ＵＥは、前のＢＩが報告されていたかどうかを決定するために、メモリ２８２中のＣＳＩ報告タイプ論理１００４を実行しうる。前のＢＩが報告されていた場合、次いで、ブロック４０２において、ＵＥは、前のＢＩによって示された特定のＣＳＩ−ＲＳリソースを決定する。ＵＥ１０００など、ＵＥは、ＣＳＩ報告タイプ論理１００４を実行する際に、前のＢＩを識別することになり、これは、選択された特定のＣＳＩ−ＲＳリソースを識別し、ＣＳＩ−ＲＳリソースに関連するアンテナポートの数Ｎkをさらに識別する。ブロック４０３において、ＵＥは、選択されたＣＳＩ−ＲＳリソースに関連するアンテナポートの数Ｎkに基づいてＣＳＩ報告タイプを選択する。ＣＳＩ報告タイプ論理１００４の実行において、ＵＥ１０００は、最後の報告されたＢＩに基づいて、たとえば、ＢＩによって示されたＣＳＩ−ＲＳリソースのＮkに基づいて、周期報告モード（periodic reporting mode）におけるＣＳＩ報告タイプを決定することになる。
【００６１】
[0068]  ブロック４０１における決定に応答して、たとえば、他のＣＳＩ送信との衝突により前のＢＩがドロップされたので、前のＢＩがなかったと決定された場合、ＵＥは、ブロック４０４において、あらかじめ定義されたルールに基づいてデフォルトＣＳＩ−ＲＳリソース（default CSI-RS resource）を選択することを決定することになる。ＵＥ１０００など、ＵＥは、ＣＳＩ報告タイプ論理１００４を実行する際に、前のＢＩの不在（absence）を決定し、ＣＳＩ報告タイプ論理１００４によって決定されたようにデフォルトＣＳＩ−ＲＳリソースを選択することになる。デフォルトＣＳＩ−ＲＳリソースは、ＵＥ１０００など、ＵＥが、デフォルトＣＳＩ−ＲＳリソースに関連するアンテナポートの数を識別することを可能にする。ブロック４０５において、ＵＥは、デフォルトＣＳＩ−ＲＳリソースに関連するアンテナポートの数Ｎkに従ってＣＳＩ報告タイプを選択する。ＣＳＩ報告タイプ論理１００４を実行するＵＥ１０００など、ＵＥは、ＣＳＩプロセス中の最低リソースインデックス（lowest resource index）を有するＣＳＩ−ＲＳリソース、それに関連する最高数のアンテナポートを有するＣＳＩ−ＲＳリソースなど、あらかじめ定義されたルールに従って、デフォルトＣＳＩ−ＲＳリソースを識別し得る。様々なあらかじめ定義されたルールが、ブロック４０４および４０５に従ってデフォルトＣＳＩ−ＲＳリソースを識別するために、ＣＳＩ報告タイプ論理１００４の実行において使用され得る。
【００６２】
[0069]  ブロック４０３において前のＢＩによって識別されたＣＳＩ−ＲＳリソースに基づいて、またはデフォルトＣＳＩ−ＲＳリソースに基づいて、のいずれかで、選択されたＣＳＩ報告タイプを使用して、ＵＥは、ＣＳＩ−ＲＳリソースを条件としてＣＱＩ／ＰＭＩ／ＲＩ計算を行うことになる。ＵＥ１０００など、ＵＥは、ＣＳＩ報告のためのＣＱＩ／ＰＭＩ／ＲＩ計算を生成するために、コントローラ／プロセッサ２８０の制御下で、メモリ２８２に記憶された、測定論理１００２およびＣＳＩ報告生成器１００３を実行することになる。ブロック４０６において、ＵＥは、選択されたＣＳＩ報告タイプに従ってサービング基地局にＣＳＩを報告する。ＵＥ１０００など、ＵＥは、次いで、ワイヤレス無線機１００１ａ〜ｒおよびアンテナ２５２ａ〜ｒを介してサービング基地局に生成されたＣＳＩ報告を送信し得る。
【００６３】
[0070]  図５Ａおよび図５Ｂは、本開示の態様に従って構成されたＵＥ１１５のＣＳＩ報告ストリーム５０および５１を示すブロック図である。前のＢＩがＵＥ１１５によって報告されていると検出されたとき、ＵＥ１１５は、前に報告されたＢＩに少なくとも部分的に基づいて特定のＣＳＩ報告タイプを選択する。たとえば、ＰＵＣＣＨモード１−１では、ＵＥ１１５は、ＢＩが、ＣＳＩ報告ストリーム５０または５１において５００において報告されたことを識別する。前に報告されたＢＩは、２つのアンテナポート、Ｎk＝２に関連する、特定のＣＳＩ−ＲＳリソースのＵＥ１１５による選択を示す。ＢＩおよびＰＵＣＣＨモード１−１に関連するアンテナポートの数に基づいて、タイプ３のＲＩおよびタイプ２のＣＱＩ／ＰＭＩのＣＳＩ報告が、ＣＳＩ報告ストリーム５０または５１の５０１において送信される。後の時点において、ＵＥ１１５は、別のＢＩが、ＣＳＩ報告ストリーム５０の５０２において報告されたことを識別する。５０２において報告されたＢＩに基づいて、ＵＥ１１５は、８つのアンテナポート、Ｎk＝８に関連するＣＳＩ−ＲＳを選択した。図５Ａにおいて、ＵＥ１１５は、ＰＵＣＣＨモード１−１のサブモード１を使用するように構成されており、したがって、ＣＳＩ報告ストリーム５０の５０３において、ＣＳＩ報告タイプ５のＲＩ／ｉ１（第１のＰＭＩ）およびタイプ２ｂのＣＱＩ／ｉ２（第２のＰＭＩ）を送信することになる。代替的に、図５Ｂに示されているように、ＵＥ１１５は、ＰＵＣＣＨモード１−１のサブモード２を使用するように構成され、このことは、ＣＳＩ報告タイプ３のＲＩおよびタイプ２ｃのＣＱＩ／ｉ１／ｉ２を報告するようにＵＥ１１５をトリガすることになる。
【００６４】
[0071]  本開示の追加の態様は、ＢＩとＲＩとが別々に報告されるとき、異種ＣＳＩ−ＲＳリソースのための基準ランクを決定することを対象とする。ＢＩとＲＩとが別々に報告されるとき、ＢＩ報告の後の報告されるＲＩの不在下で、ＣＱＩ／ＰＭＩの計算はデフォルト基準ランク（default reference rank）を条件とすべきである。本開示の様々な態様は、この基準ランクを決定するための代替を与え得る。
【００６５】
[0072]  図６Ａおよび図６Ｂは、本開示の態様に従って構成されたＵＥからのＣＳＩ報告ストリーム６０および６１を示すブロック図である。ＣＳＩ報告ストリーム６０および６１は、ＵＥ１０００（図１０）の通信およびＣＳＩ処理のために使用され得る。第１の代替態様では、デフォルト基準ランクは、最新のＢＩ報告によって示されたＣＳＩ−ＲＳリソースに関して利用可能な、可能な最低ＲＩに対応するように選択される。そのような可能な最低ＲＩは、概して、選択されたＣＳＩ−ＲＳリソースに関連するビットマップパラメータｃｏｄｅｂｏｏｋＳｕｂｓｅｔＲｅｓｔｒｉｃｔｉｏｎによって与えられることになり、最後の報告されたＢＩによって示されたＣＳＩ−ＲＳリソースのＣＳＩ報告について有効であるにすぎない。ＵＥ１０００など、ＵＥは、本明細書で説明される態様に従って基準ランクを決定するために、コントローラ／プロセッサ２８０の制御下で、メモリ２８２に記憶された、基準ランク論理１００５を実行することになる。ＣＳＩ報告ストリーム６０のサブフレーム０において、ＵＥ１０００など、ＵＥは、ワイヤレス無線機１００１ａ〜ｒおよびアンテナ２５２ａ〜ｒを使用してＢＩ（「Ｂ」）を報告するが、ＢＩとの衝突により、ＲＩまたはＣＱＩ／ＰＭＩを報告しない。報告されたＢＩは、８つのアンテナポート（Ｎk＝８）をもつＣＳＩ−ＲＳリソースに関連する。サブフレーム５において報告するためのＣＱＩ／ＰＭＩを生成するために、ＲＩがサブフレーム０において報告されなかったので、ＵＥは基準ランクを選択する。Ｎk＝８をもつＣＳＩ−ＲＳリソースのために利用可能な、可能な最低ＲＩは１である。したがって、基準ランク論理１００５を実行するとき、ＵＥ１０００は、サブフレーム５において報告されるＣＳＩパラメータを生成するために、１の基準ＲＩを選択する。ＣＳＩパラメータは、測定論理１００２およびＣＳＩ報告生成器１００３のコントローラ／プロセッサ２８０の制御下で、ＵＥ１０００によって実行を通して生成される。
【００６６】
[0073]  サブフレーム１０における次のＲＩ報告機会において、ＵＥ１０００など、ＵＥは、Ｎk＝８をもつ前に報告されたＢＩに関連する、４のＲＩを報告する。ＵＥ１０００など、ＵＥは、次いで、サブフレーム１５において報告するためのＣＱＩ／ＰＭＩを生成する際に基準ランクについて４の報告されたＲＩを使用することになる。測定論理１００２の実行を通して行われる、選択されたＣＳＩ−ＲＳリソースのＣＳＩ測定は、４のこの基準ＲＩで条件付けられる。
【００６７】
[0074]  ＣＳＩ報告ストリーム６０のサブフレーム２０が、ＵＥからのＢＩについての次の報告機会を与える。ＵＥ１０００など、ＵＥによって報告された新しいＢＩは、２つのアンテナポート、Ｎk＝２をもつＣＳＩ−ＲＳリソースを識別する。再び、ＢＩ報告との衝突のために、ＵＥは、新しいＲＩまたはＣＳＩパラメータのいずれかを報告しない。ＵＥ１０００が、サブフレーム２５において報告するためのＣＱＩ／ＰＭＩを計算するために、基準ランク論理１００５は、Ｎk＝２を有する選択されたＣＳＩ−ＲＳリソースに関連する可能な最低ランクを使用し、これは１である。したがって、サブフレーム２５において報告するための測定論理１００２およびＣＳＩ報告生成器１００３による生成されたＣＳＩパラメータは、１の基準ＲＩを使用して条件付けられる。ＵＥ１０００など、ＵＥが、サブフレーム３０において２の新しいＲＩを報告することが可能であるとき、それは、次いで、サブフレーム３５において報告するためのＣＳＩパラメータを生成するために、報告されたＲＩを基準ランクとして使用し得る。
【００６８】
[0075]  デフォルト基準ランクを決定するための図６Ｂに示されている代替態様では、ＵＥ１０００による基準ランク論理１００５の実行は、ｋ番目のＣＳＩ−ＲＳリソースに関連する最新のＢＩ報告の前の最新の報告されたＲＩ（ｒk*）と、最新のＢＩ報告によって示されたｋ番目のＣＳＩ−ＲＳリソースに関連する可能な最高ＲＩ（ｒk'）とに一緒に基づいて、デフォルトランクが決定され得ることを与えることになる。デフォルト基準ランクは、以下に対応する。
【００６９】
【数１】
2019500824.tif 000005
【００７０】
任意の報告されたプリコーディング行列インジケータは、最後の報告されたＢＩによって示されるそのＣＳＩ−ＲＳリソースのためのＣＳＩ報告についてのみ有効である。
【００７１】
[0076]  図６Ａに関して説明された態様と同様に、図６ＢのＣＳＩ報告ストリーム６１のサブフレーム０において、ＵＥ１０００など、ＵＥは、ワイヤレス無線機１００１ａ〜ｒおよびアンテナ２５２ａ〜ｒを介してＢＩ（「Ｂ」）を報告するが、ＢＩとの衝突により、ＲＩまたはＣＱＩ／ＰＭＩを報告しない。報告されたＢＩは、８つのアンテナポート（Ｎk＝８）をもつＣＳＩ−ＲＳリソースに関連する。ＵＥ１０００が、測定論理１００２およびＣＳＩ報告生成器１００３の実行を通して、サブフレーム５において報告するためのＣＱＩ／ＰＭＩを生成するために、ＲＩがサブフレーム０において報告されなかったので、ＵＥは基準ランクを選択する。例示的な態様に従って、ＵＥ１０００など、ＵＥは、基準ランク論理１００５の実行を通して、サブフレーム０において報告されたＢＩより前の最後の報告されたＲＩを、Ｎk＝８をもつＣＳＩ−ＲＳリソースのために利用可能な、可能な最高ＲＩの基準ランクと比較することになる。サブフレーム０の前の前に報告されたＲＩ（図示せず）は１であった。したがって、１のＲＩは、ＲＩ＝４、すなわちＮk＝８をもつＣＳＩ−ＲＳリソースのために利用可能な、可能な最高ＲＩよりも小さいので、ＵＥは、サブフレーム５において報告されるＣＳＩパラメータを生成するために、１の基準ＲＩを選択する。
【００７２】
[0077]  サブフレーム２０において、ＢＩを報告するための次の機会中に、ＵＥ１０００など、ＵＥは、２つのアンテナポート、Ｎk＝２を有するＣＳＩ−ＲＳリソースを識別するＢＩを報告する。しかしながら、衝突により、ＢＩとともに報告されるＲＩがない。したがって、サブフレーム２５におけるＣＳＩ報告を生成するために、ＵＥは、サブフレーム１０においてＵＥによって報告された、４である、サブフレーム２０における報告されたＢＩの前の最後の報告されたＲＩを、サブフレーム２０において報告されたＢＩによって識別されたように、２である、Ｎk＝２を有するＣＳＩ−ＲＳリソースに基づく利用可能な最高ＲＩと比較する。前に報告されたＲＩが、最新の報告されたＢＩを考慮する現在利用可能な最高ＲＩよりも大きいので、ＵＥは、サブフレーム２５において報告するためのＣＱＩ／ＰＭＩを決定するために２のより低いＲＩを選択する。
【００７３】
[0078]  ＲＩおよびＢＩの報告は、単一の合同報告においても行われ得る。ＢＩとＲＩとが合同で報告されるとき、ＲＩのペイロードサイズが、ＢＩによって示されたＣＳＩ−ＲＳリソースのＮkを条件とするので、合同報告のためのビット幅を決定する際にあいまいさがあり得る。したがって、ビット幅は、概して、ＢＩのコンテンツに依存して可変であることになる。本開示の様々な追加の態様は、所与のＢＩ値のための合同ＲＩ／ＢＩ報告のための固定ビット幅（fixed bit width）を与えることを対象とする。固定ビット幅は、ＢＩおよびＲＩ復号を簡略化する。
【００７４】
[0079]  図７は、本開示の一態様を実装するために実行される例示的なブロックを示すブロック図である。また、図７の例示的なブロックは、図１０に示されているＵＥ１０００の構成要素およびハードウェアに関して説明される。ブロック７００において、ＵＥは、ＣＳＩプロセスに関連する複数のＣＳＩ−ＲＳリソースの識別情報を取得する。ＣＳＩプロセスごとに定義された複数のＣＳＩ−ＲＳリソースは、ＵＥ１０００がクラスＢのＣＳＩ報告クラスを使用すべきであることを示す。ブロック７０１において、ＵＥは、合同報告になるようにＢＩとＲＩとを結合すべきかどうかの決定を行い、ここにおいて、ＢＩは、ＣＳＩ報告のために選択される特定のＣＳＩ−ＲＳリソースを識別する。たとえば、ＵＥ１０００など、ＵＥは、コントローラ／プロセッサ２８０の制御下で、メモリ２８２に記憶された、合同ＢＩ／ＲＩ報告論理１００７を実行する。合同ＢＩ／ＲＩ報告論理１００７の実行環境は、ＵＥ１０００が、合同報告になるようにＢＩとＲＩとを結合すべきかどうかを決定することを可能にする。
【００７５】
[0080]  ブロック７０２において、合同報告のためのビット幅を設定し、ここにおいて、ビット幅は、あらかじめ定義されたルールに基づいて固定される。合同ＢＩ／ＲＩ報告論理１００７の実行環境内で、ＵＥ１０００など、ＵＥは、合同ＢＩ／ＲＩ報告論理１００７内のあらかじめ定義されたルールに基づいて固定ビット幅を決定し得る。例示的な態様では、合同ＢＩ／ＲＩ報告論理１００７の実行は、ＣＳＩ−ＲＳリソースのすべてにわたって構成されたアンテナポートの最大数と、ＵＥによってサポートされるレイヤの数とに基づいて、ＲＩのための固定ビット幅を決定し得、ＲＩと連結され得るＢＩのための固定ビット幅は、構成されたＣＳＩ−ＲＳリソースの数に基づいて決定され得る。ブロック７０３において、ＵＥは、合同報告を符号化し、ブロック７０４において、サービング基地局に符号化された合同報告を送信する。ＵＥ１０００など、ＵＥは、合同ＢＩ／ＲＩ報告論理１００７の実行を通して合同報告を符号化し得、これは、コントローラ／プロセッサ２８０の制御下で、ワイヤレス無線機１００１ａ〜ｒおよびアンテナ２５２ａ〜ｒを介した送信のために合同報告を符号化することになる。
【００７６】
[0081]  あらかじめ定義されたルールに基づいて固定ビット幅を決定するための一態様では、ＲＩ報告のためのビット数は、以下の式に従って合同ＢＩ／ＲＩ報告論理１００７の実行内に決定される。
【００７７】
【数２】
2019500824.tif 000006
【００７８】
ここで、ｍａｘ（Ｎk）は、ＣＳＩ−ＲＳリソースのすべてにわたって構成されたアンテナポートの最大数であり、Ｎlayerは、ＵＥによってサポートされるレイヤの最大数（maximum number of layers）である。ＢＩ報告のためのビット数は、以下の式に従って決定される。
【００７９】
【数３】
2019500824.tif 000007
【００８０】
ここで、Ｋは、ＣＳＩ報告のために構成されたＣＳＩ−ＲＳリソースの総数である。
【００８１】
[0082]  合同ＢＩ／ＲＩ報告を提供する本開示の追加の態様では、合同報告はＰＵＳＣＨ上で送信され得る。ＰＵＳＣＨ上へのＢＩマッピングの場合、ＲＩおよびＢＩのジョイントコーディング（joint coding）が使用されるとき、複数のＣＳＩプロセスおよび複数のダウンリンクセル（downlink cell）に応じたＢＩ／ＲＩビットのアグリゲーション（aggregation）の結果として、総ペイロードサイズ（total payload size）は最高２５ビットであり得る。たとえば、Ｎtotal＝３２であるとき、ＣＣごとの合同ＢＩ／ＲＩはｌｏｇ2（Ｎtotal）＝５ビットであり、これは、５つのダウンリンクＣＣまたはＣＳＩプロセスに対応する。現在、複数のＣＣのためのＰＵＳＣＨ上のＲＩフィードバックのためのビット幅は、３×５＝１５ビットに限定される。ＲＩのためのチャネルコーディング（channel coding）が、総ペイロードサイズＯ≦２１をもつブロックコーディング（block coding）に基づく。したがって、ＰＵＳＣＨ上のＲＩフィードバックのための総ビット幅が２１ビットよりも多いとき、異なるチャネルコーディングおよびコーディングオフセット値（coding offset value）が考慮され得る。Ｏ≦２１である場合、ブロックコーディングが使用され得る。Ｏ＞２１である場合、テールバイティング畳み込みコード（ＴＢＣＣ：tail biting convolutional code）など、畳み込みコーディング（convolutional coding）が使用され得る。追加の
【００８２】
【数４】
2019500824.tif 000008
【００８３】
が、ブロックコーディングのために使用されるものに加えてＴＢＣＣのために構成され得る。
【００８４】
[0083]  本開示の追加の態様は、ＣＳＩフィードバック処理緩和（CSI feedback processing relaxation）に関係する。複数のＣＳＩプロセスをもつ多地点協調（ＣｏＭＰ：coordinated multi-point ）の場合、ＣＳＩフィードバック処理タイムラインの緩和が、計算複雑さを緩和することを許容され得る。所与のサービングセルの場合、ＵＥは、ＮCSI-P個よりも多くのＣＳＩプロセスのためのＣＳＩを更新するための１つのＣＳＩトリガを受信することが予想されず、ここで、ＮCSI-Pの許容値は、ＵＥ能力（capability）に基づく｛１，３，４｝を含む。無報告ＣＳＩ要求の数がしきい値を超える（Ｎx＜Ｎu）とき、しきい値超の追加のＣＳＩ要求は、古い測定情報に基づくことを許容される。ＦＤＤシステムでは、Ｎx＝ＮCSI-Pであり、Ｎuは、現在ＣＳＩトリガリングサブフレームまでカウントされる無報告ＣＳＩプロセスの数である。緩和ルール（relaxation rule）は、サービングセル（ＣＣ：serving cell）ごとに独立して適用され得、サービングセルのために単一のＣＳＩプロセスのみが構成されたとき、緩和は許容されない。たとえば、タイムライン緩和も適用され得、ここで、ＣＳＩ基準リソースは、ＣＳＩ要求サブフレームと比較して、追加のサブフレームだけ遅延される。ＦＤ−ＭＩＭＯの場合、異なるＣＳＩプロセスについてＣＳＩ−ＲＳリソースの別個の構成をもつ１２個および１６個のＣＳＩ−ＲＳポートの導入に伴って、ＣＳＩ処理複雑さ緩和が再設計され得る。
【００８５】
[0084]  図８は、本開示の一態様を実装するために実行される例示的なブロックを示すブロック図である。また、図８の例示的なブロックは、図１０に示されているＵＥ１０００の構成要素およびハードウェアに関して説明される。ブロック８００において、ＵＥは、１つまたは複数のＣＣのためのＣＳＩ報告のための複数のＣＳＩ要求を受信する。ＵＥ１０００など、ＵＥは、アンテナ２５２ａ〜ｒおよびワイヤレス無線機１００１ａ〜ｒを介してそれのサービングセルからＣＳＩ要求を受信する。ＣＳＩ要求は、ＣＳＩフィードバックのために構成された異なるＣＣおよび異なるＣＳＩ−ＲＳプロセスに関し得る。
【００８６】
[0085]  ブロック８０２において、ＵＥは、複数のＣＳＩ要求のうちの１つまたは複数の１つまたは複数の無報告ＣＳＩ要求を識別し、ここにおいて、１つまたは複数の無報告ＣＳＩ要求は、現在ＣＳＩトリガリングサブフレームの前に決定される。ＵＥ１０００など、ＵＥは、無報告ＣＳＩ要求を識別するために、コントローラ／プロセッサ２８０の制御下で、メモリ２８２に記憶された、ＣＳＩ処理緩和論理（CSI processing relaxation logic）１００６を実行する。無報告ＣＳＩ要求は、ＵＥが、現在ＣＳＩトリガリングフレーム（current CSI triggering frame）より前にＣＳＩ報告とともに応答しなかった要求である。
【００８７】
[0086]  ブロック８０３において、ＵＥは、無報告ＣＳＩ要求のすべてにわたって結合されたＣＳＩ−ＲＳアンテナポートの総数を決定し、ここにおいて、ＣＳＩ−ＲＳアンテナポートの総数は、ＣＣのうちのＣＣごとに、またはＣＣのすべてにわたって、のいずれかで決定される。ＣＳＩ処理緩和論理１００６を実行するＵＥ１０００など、ＵＥは、ＣＳＩ−ＲＳアンテナポートの総数を決定する。無報告ＣＳＩ要求についてのＣＳＩ−ＲＳアンテナポートの総数は、ＣＳＩプロセスのためのＵＥに関連するＣＳＩ−ＲＳアンテナポートの最大数に関係する。そのようなＣＳＩ−ＲＳアンテナポートの最大数は、トリガリングバジェット（triggering budget）またはしきい値と見なされることになる。
【００８８】
[0087]  ブロック８０４において、ＵＥは、無報告ＣＳＩ要求についてのＣＳＩ−ＲＳアンテナポートの総数がトリガリングしきい値を超えることに応答して、複数のＣＳＩ要求のうちのＣＳＩ要求のうちの１つまたは複数のためのＣＳＩフィードバック緩和を実行することになる。ＣＳＩ処理緩和論理１００６の実行を通して、ＵＥ１０００は、ＣＳＩフィードバック緩和を適用する前に、ＣＳＩ−ＲＳアンテナポートの総数をトリガリングバジェットまたはしきい値と比較する。ＣＳＩフィードバック緩和は、追加の無報告ＣＳＩ要求が古い測定情報に基づくことを許容すること、または所定の数のサブフレームだけＣＳＩ報告のタイミングを遅延させることによっての両方を含み得る。
【００８９】
[0088]  図９Ａは、本開示の一態様に従って構成されたＵＥ９０１によるＣＳＩフィードバック緩和の第１の例示的な態様を示すブロック図である。送信ストリーム９０が、サービング基地局９００とＵＥ９０１との間の通信の１２個のサブフレーム（ＳＦ０〜ＳＦ１１）を示す。図９Ａに示されているように、ＣＳＩフィードバック処理緩和は、ＣＣごとのすべてのＣＳＩ−ＲＳプロセスにわたって結合されたＣＳＩ−ＲＳポートの総数に依存する。ＣＳＩ−ＲＳポートのための許容値、ＮCSI-RS-Portは、ＵＥ能力に基づく、｛１６，３２，６４｝である。図９Ａに示されている例では、ＮCSI-RS-Port＝３２である。その上、ＣＳＩフィードバックのために構成された４つのＣＳＩプロセス、ＣＳＩプロセス＃１（Ｋ＝１、Ｎk＝１６）、ＣＳＩプロセス＃２（Ｋ＝１、Ｎk＝８）、ＣＳＩプロセス＃３（Ｋ＝２、Ｎk＝８）、およびＣＳＩプロセス＃４（Ｋ＝１、Ｎk＝８）がある。ＣＣごとのすべての構成されたＣＳＩプロセスに関連するＣＳＩ−ＲＳリソースのＣＳＩ−ＲＳポートの最大総数は、ＮCSI-RS-Port以下であることになる。その上、サービングセルのためのすべての構成されたＣＳＩプロセスにわたるＣＳＩ−ＲＳポートの総数が８以下であるとき、緩和はトリガされないことになる。
【００９０】
[0089]  １つのＣＳＩトリガについて、すべての無報告ＣＳＩ要求にわたるＣＳＩ−ＲＳポートの数が、（Ｎx-ports＜Ｎu-ports）によって決定される、トリガリングバジェットまたはしきい値を超える場合、追加のＣＳＩ要求は古い測定値に基づくことを許容される。ＦＤＤの場合、Ｎx-ports＝ＮCSI-RS-Portであり、Ｎu-portsは、ＣＳＩトリガリングサブフレームの前にカウントされる、サービングセルについての無報告ＣＳＩプロセスにわたって結合されたＣＳＩ−ＲＳポート数である。追加のＣＳＩ要求に関連するＣＳＩプロセスは、ＣＳＩプロセスインデックスに従って順序付けられ、ＣＳＩ−ＲＳポートの総数がトリガリングバジェットよりも小さい、最低インデックス付きのＮp個のＣＳＩプロセスのみが、正確なＣＳＩを用いて報告され得る。
【００９１】
[0090]  再び図９Ａを参照すると、サブフレーム２において、基地局９００は、ＣＳＩプロセス＃１、ＣＳＩプロセス＃２、およびＣＳＩプロセス＃４のための３つのＣＳＩ要求を送る。無報告ＣＳＩプロセスにわたって結合されたＣＳＩ−ＲＳポートの総数（たとえば、ＣＳＩプロセス＃１、＃２、および＃４、１６＋８＋８）と、トリガリングバジェットまたはしきい値ＮCSI-RS-Port＝３２とを考慮すると、ＣＳＩプロセス＃１、＃２、および＃４のためのＣＳＩ要求は、トリガリングバジェット内に入り、ＵＥ９０１は、それらの要求のためのＣＳＩを正確に測定および報告し得る。サブフレーム４において、基地局９００は、ＣＳＩプロセス＃４のための別のＣＳＩ要求を送信する。無報告ＣＳＩプロセスのＣＳＩ−ＲＳポートの数は、ＣＳＩプロセス＃４から８つのアンテナポートだけ追加される。同様に、サブフレーム５におけるＣＳＩプロセス＃３のためのＣＳＩ要求は、無報告ＣＳＩプロセスの数に１６個のさらなるアンテナポートを追加する。したがって、サブフレーム４において、ＣＳＩプロセス＃４および＃３のための２つのＣＳＩ要求とともにトリガリングバジェットが超えられ、ＣＳＩプロセス＃４および＃３は、それぞれ、サブフレーム８および９においてＵＥ９０１によって送信されるＣＳＩ応答中の不正確な測定情報に基づくことの許容を用いた緩和が考慮される。さらに、サブフレーム６において、ＵＥ９０１は、ＣＳＩプロセス＃１、＃２、および＃４のための正確なＣＳＩ報告を基地局９００に送信する。
【００９２】
[0091]  サブフレーム７において、基地局９００は、ＣＳＩプロセス＃２のためのＣＳＩ要求を送信する。そのとき、すべての無報告ＣＳＩプロセスにわたるＣＳＩ−ＲＳポートの総数は、ＣＳＩプロセス＃４、＃３および＃２にわたる３２（８＋１６＋８）であり、これは、トリガリングバジェットまたはしきい値よりも大きくない。したがって、ＵＥ９０１によって送信されるＣＳＩプロセス＃２のための対応するＣＳＩ報告は、正確であることになる。それぞれ、サブフレーム８およびサブフレーム９において、ＵＥ９０１は、ＣＳＩプロセス＃４および＃３のための不正確なＣＳＩ報告を送信する。
【００９３】
[0092]  ＣＳＩフィードバック処理緩和を提供するための代替態様では、緩和を実装すべきかどうかの決定は、すべてのＣＣおよびすべてのＣＳＩプロセスにわたって結合されたＣＳＩ−ＲＳリソースの総数に依存する。そのような態様では、ＮCSI-RS-resの許容値は、ＵＥ能力に基づく｛１，３，４，８，２４，３２｝である。すべてのＣＳＩ−ＲＳリソースは、アンテナポートの数にかかわらず等しく複雑である。したがって、１つの非周期ＣＳＩ要求トリガに関連するすべてのＣＳＩプロセスにわたるＣＳＩ−ＲＳリソースの総数は、ＮCSI-RS-res以下である。タイムライン緩和は、各サービングセルについて独立して適用され得、サービングセルのためのすべての構成されたＣＳＩプロセスにわたるＣＳＩ−ＲＳリソースの総数が１に等しいとき、緩和は許容されない。１つのＣＳＩトリガについて、すべての無報告ＣＳＩ要求にわたるＣＳＩ−ＲＳリソースの数がトリガリングバジェットを超える（Ｎx＜Ｎu）場合、追加のＣＳＩ要求は古い測定値に基づくことを許容される。ＦＤＤの場合、Ｎx＝ＮCSI-RS-resであり、Ｎuは、ＣＳＩトリガリングサブフレームまでカウントされる、すべてのＣＣの無報告ＣＳＩプロセスにわたって結合されたＣＳＩ−ＲＳリソース数である。追加のＣＳＩ要求に関連するＣＳＩプロセスは、ＣＣインデックスに従って最初に順序付けられ、次いで、ＣＳＩ−ＲＳリソース総数がトリガリングバジェットよりも小さい、最低インデックス付きのＮp個のＣＳＩプロセスのみを生じるＣＳＩプロセスインデックスが、正確なＣＳＩを用いて報告され得る。
【００９４】
[0093]  図９Ｂは、本開示の一態様に従って構成されたＵＥ９０１によるＣＳＩフィードバック緩和の第１の例示的な態様を示すブロック図である。送信ストリーム９１が、サービング基地局９００および９０２と、ＵＥ９０１との間の通信の１２個のサブフレーム（ＳＦ０〜ＳＦ１１）を示す。図９Ｂに示されている態様では、すべてのＣＳＩプロセスにわたるＣＳＩ−ＲＳリソースの総数、ＮCSI-RS-resは、８である。４つのＣＳＩプロセスが２つの別個のＣＣにわたって構成され、基地局９００および９０２は、ＣＳＩプロセス＃１（ＣＣ＃１−基地局９００、Ｋ＝２）、ＣＳＩプロセス＃２（ＣＣ＃２−基地局９０２、Ｋ＝２）、ＣＳＩプロセス＃３（ＣＣ＃２−基地局９０２、Ｋ＝１）、およびＣＳＩプロセス＃４（ＣＣ＃２−基地局９０２、Ｋ＝４）のためにＵＥ９０１にＣＳＩ要求を送信する。
【００９５】
[0094]  サブフレーム２において、基地局９００は、ＣＳＩプロセス＃１のためのＣＳＩ要求を送信し、基地局９０２は、ＣＳＩプロセス＃２および＃４のためのＣＳＩ要求を送信する。したがって、８つのリソース（ＮCSI-RS-resは８である）のトリガリングバジェットは、基地局９００および９０２からの３つのＣＳＩ要求によって適応され、無報告ＣＳＩプロセスのカウントは３になり、関連するＣＳＩ−ＲＳリソースの総数は、Ｎu＝２＋２＋４である。サブフレーム４および５において、基地局９０２は、ＣＳＩプロセス＃４および＃３のための追加のＣＳＩ要求を送信する。追加のＣＳＩ−ＲＳリソースを含めて、Ｎuは、トリガリングバジェットまたはしきい値を超える、２＋２＋４＋４＋１＝１３に増加される。ＣＳＩプロセス＃４および＃３のためのＣＳＩ要求がトリガリングバジェットを超えて行われるので、ＵＥ９０１はこれらの要求を無効なトリガと見なす。サブフレーム６において、ＵＥ９０１は、ＣＳＩプロセス＃１、＃２、および＃４のための正確なＣＳＩ報告を送信する。これらの報告のためのＣＳＩ要求が、ＵＥ９０１のためのトリガリングバジェットまたはしきい値内で行われたので、これらの報告は正確なＣＳＩ測定情報に基づく。サブフレーム７において、基地局９０２は、ＣＳＩプロセス＃２のためのＣＳＩ要求を送信する。ＣＳＩプロセス＃１、＃２、および＃４を報告した後、無報告ＣＳＩプロセスは、ＣＳＩプロセス＃４、＃３および＃２のみで低減され、Ｎuは、４＋１＋２＝７＜ＮCSI-RS-resに低減され、このことは、ＵＥ９０１がＣＳＩプロセス＃２のためのＣＳＩ要求を有効なトリガと見なすようになることを意味する。サブフレーム８および９において、ＣＳＩプロセス＃４および＃３のためのＣＳＩ報告の送信は、トリガリングバジェットまたはしきい値を超えながら、これらの報告のための要求を受信したとき、緩和プロセスによる不正確なＣＳＩ測定情報に基づく。サブフレーム１１において、ＵＥ９０１は、ＣＳＩプロセス＃２のための正確なＣＳＩ報告を基地局９０２に報告する。トリガリングバジェットが利用可能であったときにＣＳＩプロセス＃２のためのＣＳＩ要求がＵＥ９０１に到着したので、ＵＥ９０１は、サブフレーム１１において基地局９０２に送信されるＣＳＩ報告を決定するとき、正確なＣＳＩ測定情報を使用することが可能であった。
【００９６】
[0095]  本開示の代替態様では、ＣＳＩフィードバック処理緩和のアクティブ化は、すべてのＣＣおよびすべてのＣＳＩ−ＲＳプロセスにわたって結合されたＣＳＩ−ＲＳポートの総数に依存する。そのような態様では、ＮCSI-RS-Portの許容値は、ＵＥ能力に基づく｛１６，３２，６４，１２８，５１２｝である。１つの非周期ＣＳＩ要求トリガに関連するすべてのＣＳＩプロセスにわたるＣＳＩ−ＲＳポートの最大総数は、ＮCSI-RS-Port以下であることになる。タイムライン緩和は、各サービングセルについて独立して適用され得るが、サービングセルのためのすべての構成されたＣＳＩプロセスにわたるＣＳＩ−ＲＳポートの総数が８以下であるとき、緩和は実装されない。１つのＣＳＩトリガについて、すべての無報告ＣＳＩ要求にわたるＣＳＩ−ＲＳポートの数がトリガリングバジェットを超える（Ｎx-ports＜Ｎu-ports）場合、古い測定値に基づくことを許容される追加のＣＳＩ要求について、緩和がアクティブにされる。ＦＤＤの場合、Ｎx-ports＝ＮCSI-RS-Portであり、Ｎu-portsは、ＣＳＩトリガリングサブフレームまでカウントされる、すべてのＣＣの無報告ＣＳＩプロセスにわたって結合されたＣＳＩ−ＲＳポート数である。追加のＣＳＩ要求に関連するＣＳＩプロセスは、ＣＳＩプロセスインデックスに従って順序付けられ、ＣＳＩ−ＲＳポートの総数がトリガリングバジェットよりも小さい、最低インデックス付きのＮp個のＣＳＩプロセスのみが、正確なＣＳＩを用いて報告され得る。
【００９７】
[0096]  図９Ｃは、本開示の一態様に従って構成されたＵＥ９０１によるＣＳＩフィードバック緩和の第１の例示的な態様を示すブロック図である。送信ストリーム９２が、サービング基地局９００、９０２、および９０３と、ＵＥ９０１との間の通信の１２個のサブフレーム（ＳＦ０〜ＳＦ１１）を示す。図９Ｃに示されている態様では、すべてのＣＣおよびすべてのＣＳＩプロセスにわたるＣＳＩ−ＲＳポートの総数、ＮCSI-RS-portは、３２である。４つのＣＳＩプロセスが３つの別個のＣＣにわたって構成され、基地局９００、９０２、および９０３は、ＣＳＩプロセス＃１−１（ＣＣ＃１−基地局９００、Ｋ＝１、Ｎk＝１６）、ＣＳＩプロセス＃２−１（ＣＣ＃２−基地局９０２、Ｋ＝１、Ｎk＝８）、ＣＳＩプロセス＃２−２（ＣＣ＃２−基地局９０２、Ｋ＝１、Ｎk＝８）、およびＣＳＩプロセス＃３−１（ＣＣ＃３−基地局９０３、Ｋ＝２、Ｎk＝８）のためにＵＥ９０１にＣＳＩ要求を送信する。
【００９８】
[0097]  サブフレーム２において、基地局９００および９０２は、ＣＳＩプロセス＃１−１および＃２−１のためのＣＳＩ要求をＵＥ９０１に送信する。ＵＥ９０１は、ＣＳＩプロセス＃１−１および＃２−１に関連するＣＳＩ−ＲＳポートの総数（Ｎu＝１６＋８）を決定し、それをトリガリングバジェット、ＮCSI-RS-port＝３２と比較する。サブフレーム４において、基地局９０２および９０３は、ＣＳＩプロセス＃２−２および＃３−１のためのＣＳＩ要求をＵＥ９０１に送信する。サブフレーム４において、無報告ＣＳＩプロセスのＣＳＩ−ＲＳポートの総数は、Ｎu＝１６＋８＋８＋８に増加され、トリガリングバジェットまたはしきい値よりも大きい。ＵＥ９０１は、ＣＳＩプロセス＃２−２のためのＣＳＩ要求を有効な要求として識別するが、基地局９０３からのＣＳＩプロセス＃３−１のためのＣＳＩ要求は、優先度付けに基づいて、トリガリングバジェットまたはしきい値が超えられた後にそれが考慮されるので、無効として識別される。
【００９９】
[0098]  サブフレーム６において、ＵＥ９０１は、ＣＳＩプロセス＃１−１および＃２−１のための正確なＣＳＩ報告を送信する。ＣＳＩプロセス＃１−１および＃２−１のためのＣＳＩ報告がＵＥ９０１によって送信されるとき、無報告ＣＳＩプロセスのＣＳＩ−ＲＳポートの数は低減される。サブフレーム７において、基地局９０２は、ＣＳＩプロセス＃２−１のための別のＣＳＩ要求を送信する。ＵＥ９０１およびＣＳＩプロセス＃２−１のための要求が、トリガリングバジェットまたはしきい値内にあるので、ＵＥ９０１は、有効な要求として、ＣＳＩ要求を識別し、それは、正確なＣＳＩ測定情報に基づくことになる。サブフレーム８において、ＵＥ９０１は、ＣＳＩプロセス＃２−２のための正確なＣＳＩ報告およびＣＳＩプロセス＃３−１のための不正確なＣＳＩ報告を送信する。最終的に、サブフレーム１１において、ＵＥ９０１は、サブフレーム７において基地局９０２から受信された要求に応じてＣＳＩプロセス＃２−１のための正確なＣＳＩ報告を送信する。
【０１００】
[0099]  情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１０１】
[00100]  本明細書で説明される機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【０１０２】
[00101]  本開示は、プログラムコードを記録した非一時的コンピュータ可読媒体など、第１の態様を備え、プログラムコードは、
ＣＳＩプロセスに関連する複数のチャネル状態情報基準信号（ＣＳＩ−ＲＳ）リソースの識別情報を取得することをコンピュータに行わせるためのプログラムコードと、
最後のビーム選択インジケータ報告機会において、前のビーム選択インジケータがサービング基地局に報告されたかどうかを決定することをコンピュータに行わせるためのプログラムコードと、
前のビーム選択インジケータが報告されたと決定したことに応答して実行可能な、
前のビーム選択インジケータによって示された複数のＣＳＩ−ＲＳリソースのうちのＣＳＩ−ＲＳリソースを決定すること、および
決定されたＣＳＩ−ＲＳリソースに関連するアンテナポートの数に基づいてチャネル状態情報（ＣＳＩ）報告タイプを選択すること
を行うためのプログラムコードと、
選択されたＣＳＩ報告タイプに従ってサービング基地局にＣＳＩを報告することをコンピュータに行わせるためのプログラムコードと
を備える。
【０１０３】
[00102]  第１の態様に基づいて、前のビーム選択インジケータがサービング基地局に報告されなかったと決定したことに応答して実行可能な、
あらかじめ定義されたルールに基づいて複数のＣＳＩ−ＲＳリソースのうちのデフォルトＣＳＩ−ＲＳリソースを選択することと、
選択されたデフォルトＣＳＩ−ＲＳリソースに従ってＣＳＩ報告タイプを選択することと
を行うためのプログラムコードをさらに含む、第２の態様の非一時的コンピュータ可読媒体。
【０１０４】
[00103]  第２の態様に基づいて、第３の態様の非一時的コンピュータ可読媒体、ここにおいて、あらかじめ定義されたルールが、
ＣＳＩプロセス中の最低リソースインデックスを有する複数のＣＳＩ−ＲＳリソースのうちの１つを決定すること、または
最大アンテナポート（maximum antenna port）を有する複数のＣＳＩ−ＲＳリソースのうちの１つを決定すること
のうちの１つをコンピュータに行わせるためのプログラムコードを含む。
【０１０５】
[00104]  第１の態様に基づいて、
ランクインジケータが前のビーム選択インジケータの報告の後に報告されたかどうかを決定することをコンピュータに行わせるためのプログラムコード、
ランクインジケータの不在を決定したことに応答して実行可能な、
デフォルト基準ランクを識別することをコンピュータに行わせるための、および
識別されたデフォルト基準ランクを条件としてＣＳＩ−ＲＳリソースのＣＳＩを測定することをコンピュータに行わせるための
プログラムコード
をさらに含む、第４の態様の非一時的コンピュータ可読媒体。
【０１０６】
[00105]  第４の態様に基づいて、第５の態様の非一時的コンピュータ可読媒体、ここにおいて、デフォルト基準ランクを識別することをコンピュータに行わせるためのプログラムコードが、
最後の報告されたビーム選択インジケータ（last reported beam selection indicator）によって識別されたＣＳＩ−ＲＳリソースに関連するアンテナポートの数を決定することをコンピュータに行わせるためのプログラムコード、
アンテナポートの数に関連する可能な最低ランクインジケータ（lowest possible rank indicator）を識別することをコンピュータに行わせるためのプログラムコード、ここにおいて、デフォルト基準ランクが可能な最低ランクインジケータである、
を含む。
【０１０７】
[00106]  第１〜第５の態様の任意の組合せの非一時的コンピュータ可読媒体の第６の態様。
【０１０８】
[00107]  本開示は、プログラムコードを記録した非一時的コンピュータ可読媒体など、第７の態様を備え、プログラムコードは、
ＣＳＩプロセスに関連する複数のチャネル状態情報基準信号（ＣＳＩ−ＲＳ）リソースの識別情報を取得することをコンピュータに行わせるためのプログラムコードと、
サービング基地局に報告するための合同報告になるようにビーム選択インジケータとランクインジケータとを結合すべきかどうかを決定することをコンピュータに行わせるためのプログラムコードと、ここにおいて、ビーム選択インジケータが複数のＣＳＩ−ＲＳリソースのうちのＣＳＩ−ＲＳリソースを識別する、
合同報告のためのビット幅を設定することをコンピュータに行わせるためのプログラムコードと、ここにおいて、ビット幅が固定される、
合同報告を符号化することをコンピュータに行わせるためのプログラムコードと、
サービング基地局に符号化された合同報告を送信することをコンピュータに行わせるためのプログラムコードと
を備える。
【０１０９】
[00108]  第７の態様に基づいて、第８の態様の非一時的コンピュータ可読媒体、ここにおいて、ビット幅を設定することをコンピュータに行わせるためのプログラムコードは、
ランクインジケータビット幅＝ｌｏｇ2（ｍｉｎ（ｍａｘ（Ｎk），Ｎlayer））、
ここで、Ｎlayerが、サービング基地局によってサービスされるユーザ機器（ＵＥ）によってサポートされるレイヤの最大数であり、Ｎkが、複数のＣＳＩ−ＲＳリソースのうちのｋ番目のＣＳＩ−ＲＳリソースに関連するアンテナポートの数である、
に従ってランクインジケータビット幅を決定することをコンピュータに行わせるためのプログラムコードと、
ビーム選択インジケータビット幅＝ｃｅｉｌ（ｌｏｇ2（Ｋ））、
ここで、Ｋが複数のＣＳＩ−ＲＳリソースの数である、
に従ってビーム選択インジケータビット幅を決定することをコンピュータに行わせるためのプログラムコードと、
合同報告になるようにビーム選択インジケータビット幅のビーム選択インジケータをランクビット幅のランクインジケータと連結する（concatenate）ことをコンピュータに行わせるためのプログラムコードと
を含む。
【０１１０】
[00109]  第７の態様に基づいて、第９の態様の非一時的コンピュータ可読媒体、ここにおいて、符号化された合同報告を送信することをコンピュータに行わせるためのプログラムコードは、アップリンク共有データチャネル（uplink shared data channel）上で符号化された合同報告を送信することをコンピュータに行わせるためのプログラムコードを含み、非一時的コンピュータ可読媒体は、少なくとも１つのプロセッサの構成、
複数のＣＳＩプロセスおよび複数のダウンリンクセルのためのＣＳＩ報告のための非周期ＣＳＩトリガリング（aperiodic CSI triggering）を受信することをコンピュータに行わせるためのプログラムコード、
複数のＣＳＩプロセスおよび複数のダウンリンクセルにわたってランクインジケータの符号化された合同報告を連結することをコンピュータに行わせるためのプログラムコード、
アグリゲートされた符号化された合同報告（aggregated encoded joint report）のランクインジケータのための総ペイロードサイズを決定することをコンピュータに行わせるためのプログラムコード、
総ペイロードサイズがしきい値よりも小さいかまたはそれに等しいときにブロックコード（block code）、あるいは
総ペイロードサイズがしきい値を超えるときに畳み込みコード（convolution code）
のうちの１つを使用してランクインジケータのためにチャネルコーディング（channel coding）することをコンピュータに行わせるためのプログラムコード、
をさらに含む。
【０１１１】
[00110]  第９の態様に基づいて、第１０の態様の非一時的コンピュータ可読媒体、ここにおいて、チャネルコーディングすることをコンピュータに行わせるためのプログラムコードは、
総ペイロードサイズがしきい値よりも小さいかまたはそれに等しいときに第１のコーディングオフセットパラメータ（coding offset parameter）、あるいは
総ペイロードサイズがしきい値を超えるときに第２のコーディングオフセットパラメータ
のうちの１つを使用して、アグリゲートされた符号化された合同報告のランクインジケータをチャネルコーディングすることをコンピュータに行わせるためのプログラムコードをさらに含む。
【０１１２】
[00111]  第７〜第１０の態様の任意の組合せの非一時的コンピュータ可読媒体の第１１の態様。
【０１１３】
[00112]  本開示は、プログラムコードを記録した非一時的コンピュータ可読媒体など、第１２の態様を備え、プログラムコードは、
１つまたは複数のコンポーネントキャリア（ＣＣ）のためのＣＳＩ報告のための複数のチャネル状態情報（ＣＳＩ）要求を受信することをコンピュータに行わせるためのプログラムコードと、
複数のＣＳＩ要求のうちの１つまたは複数の無報告ＣＳＩ要求を識別することをコンピュータに行わせるためのプログラムコードと、ここにおいて、１つまたは複数の無報告ＣＳＩ要求が現在ＣＳＩトリガリングサブフレームの前に決定される、
すべての１つまたは複数の無報告ＣＳＩ要求にわたって結合されたチャネル状態情報基準信号（ＣＳＩ−ＲＳ）ポートの総数を決定することをコンピュータに行わせるためのプログラムコードと、ここにおいて、ＣＳＩ−ＲＳポートの総数が、１つまたは複数のＣＣのうちのＣＣごとに、または１つまたは複数のＣＣのすべてにわたって、のうちの１つに対して決定される、
ＣＳＩ−ＲＳポートの総数がトリガリングしきい値を超えることに応答して、複数のＣＳＩ要求のうちの１つまたは複数のＣＳＩ要求のためのＣＳＩフィードバック緩和を実行することをコンピュータに行わせるためのプログラムコードと
を備える。
【０１１４】
[00113]  第１２の態様に基づいて、第１３の態様の非一時的コンピュータ可読媒体、ここにおいて、ＣＳＩフィードバック緩和を実行することをコンピュータに行わせるためのプログラムコードが、１つまたは複数のＣＳＩ要求のための古いＣＳＩ測定値（outdated CSI measurement）に基づいてＣＳＩを報告することをコンピュータに行わせるためのプログラムコードを含む。
【０１１５】
[00114]  第１２の態様に基づいて、第１４の態様の非一時的コンピュータ可読媒体、ここにおいて、トリガリングしきい値が、ＵＥ能力によってサポートされるＣＳＩ−ＲＳポートの総数によって決定される。
【０１１６】
[00115]  第１３の態様に基づいて、
コンポーネントキャリアインデックス（component carrier index）に従って複数のＣＳＩ要求を順序付けること（ordering）をコンピュータに行わせるためのプログラムコード、
同じコンポーネントキャリアのためのＣＳＩプロセスのインデックスに従って複数のＣＳＩ要求をさらに順序付けることをコンピュータに行わせるためのプログラムコード、ここにおいて、ＣＳＩフィードバック緩和のための識別された１つまたは複数のＣＳＩ要求が、順序付けられた複数のＣＳＩ要求にわたって識別される、
をさらに含む、第１５の態様の非一時的コンピュータ可読媒体。
【０１１７】
[00116]  第１２〜第１５の態様の任意の組合せの非一時的コンピュータ可読媒体の第１６の態様。
【０１１８】
[00117]  さらに、本明細書の開示に関して説明された様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップが、概してそれらの機能に関して上記で説明された。そのような機能がハードウェアとして実装されるのかソフトウェアとして実装されるのかは、特定の適用例および全体的なシステムに課される設計制約に依存する。当業者は、説明された機能を特定の適用例ごとに様々な方法で実装し得るが、そのような実装の決定は、本開示の範囲からの逸脱を生じるものと解釈されるべきではない。当業者はまた、本明細書で説明された構成要素、方法、または相互作用の順序あるいは組合せは例にすぎないこと、および本開示の様々な態様の構成要素、方法、または相互作用は、本明細書で例示され、説明されたもの以外の方法で組み合わせられるかまたは実行され得ることを容易に認識されよう。
【０１１９】
[00118]  本明細書の開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【０１２０】
[00119]  本明細書の開示に関して説明された方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に存在し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【０１２１】
[00120]  １つまたは複数の例示的な設計では、説明された機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。コンピュータ可読記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気記憶デバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、接続はコンピュータ可読媒体と適切に呼ばれ得る。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【０１２２】
[00121]  特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）あるいはそれらの任意の組合せにおけるこれらのいずれかを意味するような選言的列挙を示す。
【０１２３】
[00122]  本開示についての以上の説明は、いかなる当業者も本開示を作成または使用することができるように与えられる。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
【図１】
2019500824.tif 000009
【図２】
2019500824.tif 000010
【図３】
2019500824.tif 000011
【図４】
2019500824.tif 000012
【図５Ａ】
2019500824.tif 000013
【図５Ｂ】
2019500824.tif 000014
【図６Ａ】
2019500824.tif 000015
【図６Ｂ】
2019500824.tif 000016
【図７】
2019500824.tif 000017
【図８】
2019500824.tif 000018
【図９Ａ】
2019500824.tif 000019
【図９Ｂ】
2019500824.tif 000020
【図９Ｃ】
2019500824.tif 000021
【図１０】
2019500824.tif 000022
【国際調査報告】
2019500824.tif 000023
2019500824.tif 000024
2019500824.tif 000025